(57)【要約】【課題】伝送効率の優れたスケジューリングと、効率の良い受信状態情報の通知との両立を可能とする【解決手段】基地局装置２００は、端末装置から受信した受信状態情報に基づき、該端末装置に通信データを送信するチャネルを割り当てる。通知要求決定部２１３は、端末装置各々に送信するデータ量の指標となる値であるデータ量指標に基づき、端末装置各々に要求する受信状態情報の種類を決定する。下りリンク制御情報生成部２１５は、通知要求決定部２１３が決定した種類を表す情報を生成し、送信させる。【選択図】図２
2008271199.tif 000002
【特許請求の範囲】
【請求項１】
端末装置から受信した受信状態情報に基づき、該端末装置に通信データを送信するチャネルを割り当てる基地局装置において、
前記端末装置各々に送信するデータ量の指標となる値であるデータ量指標に基づき、前記端末装置各々に要求する受信状態情報の種類を決定する要求決定部と、
前記決定した種類を表す情報を送信する要求送信部と
を具備することを特徴とする基地局装置。
【請求項２】
前記受信状態情報の種類により、表される受信状態の精度が異なることを特徴とする請求項１に記載の基地局装置。
【請求項３】
前記要求決定部は、前記データ量指標が表すデータ量が多い端末装置ほど、前記精度が高い種類に決定することを特徴とする請求項２に記載の基地局装置。
【請求項４】
前記要求決定部は、前記データ量指標に加えて、前記端末装置の受信状態の時間変動の指標となる値である時間変動指標に基づき、各端末装置に要求する受信状態情報の種類を決定すること
を特徴とする請求項１に記載の基地局装置。
【請求項５】
前記受信状態情報の種類により、表される受信状態の精度が異なることを特徴とする請求項４に記載の基地局装置。
【請求項６】
前記要求決定部は、前記時間変動指標が表す時間変動が小さい端末装置ほど、前記精度が高い種類に決定することを特徴とする請求項５に記載の基地局装置。
【請求項７】
前記要求決定部は、前記時間変動指標が表す時間変動が小さく、かつ、前記データ量指標が表すデータ量が多い端末装置ほど、前記精度が高い種類に決定することを特徴とする請求項５に記載の基地局装置。
【請求項８】
一の端末装置の前記時間変動指標は、前記一の端末装置に関する最大ドップラー周波数であることを特徴とする請求項４から請求項７のいずれかの項に記載の基地局装置。
【請求項９】
各端末装置に送信する通信データを蓄積する送信バッファ部を具備し、
一の端末装置の前記データ量指標は、前記送信バッファ部に蓄積されている前記一の端末装置に送信する通信データの量であること
を特徴とする請求項１から請求項８のいずれかの項に記載の基地局装置。
【請求項１０】
一の端末装置の前記データ量指標は、前記一の端末装置に送信する通信データのビットレートであること
を特徴とする請求項１から請求項９のいずれかの項に記載の基地局装置。
【請求項１１】
前記受信状態情報の種類のうち、第１の種類は、該端末装置が受信する可能性のある全てのチャネルの受信状態の代表値であり、第１の種類より受信状態を表す精度の高い第２の種類は、チャネル毎の受信状態を表す値であることを特徴とする請求項１から請求項１０のいずれかの項に記載の基地局装置。
【請求項１２】
前記第１の種類の受信状態情報は、受信状態を表す値の平均値、中央値、最低値のうちのいずれかの値であることを特徴とする請求項１１に記載の基地局装置。
【請求項１３】
前記第２の種類の受信状態情報は、前記端末装置において受信状態が良好な予め決まった数のチャネル各々に関する受信状態を表す値であることを特徴とする請求項１１または請求項１２に記載の基地局装置。
【請求項１４】
前記第２の種類の受信状態情報は、チャネル毎の受信状態を表す値に離散コサイン変換を施した値に基づく情報であることを特徴とする請求項１１または請求項１２に記載の基地局装置。
【請求項１５】
前記第２の種類の受信状態情報は、受信状態を表す値の隣接するチャネルのとの差分を表す情報であることを特徴とする請求項１１または請求項１２に記載の基地局装置。
【請求項１６】
前記第１の受信状態情報を通知してきた端末装置よりも、前記第２の受信状態情報を通知してきた端末装置に優先してチャネルを割り当てるスケジューリング部を具備すること
を特徴とする請求項１１から請求項１５に記載の基地局装置。
【請求項１７】
受信状態情報を送信する端末装置と、受信した前記受信状態に基づき前記端末装置に通信データを送信するチャネルを割り当てる基地局装置とを具備する無線通信システムにおいて、
前記基地局装置は、
前記端末装置各々に送信するデータ量の指標となる値であるデータ量指標に基づき、前記端末装置各々に要求する受信状態情報の種類を決定する要求決定部と、
前記決定した種類を表す情報を送信する要求送信部と
を具備し、
前記端末装置は、
受信したデータから受信状態情報の種類を表す情報を取得する種類取得部と、
前記取得した情報が表す種類の受信状態情報を生成する受信状態情報生成部と
を具備すること
を特徴とする無線通信システム。
【請求項１８】
受信状態情報を送信する端末装置と、受信した前記受信状態に基づき前記端末装置に通信データを送信するチャネルを割り当てる基地局装置とを具備する無線通信システムにおける受信状態通知方法において、
前記基地局装置が、前記端末装置各々に送信するデータ量の指標となる値であるデータ量指標に基づき、前記端末装置各々に要求する受信状態情報の種類を決定する第１の過程と、
前記基地局装置が、前記決定した種類を表す情報を送信する第２の過程と、
前記端末装置が、受信したデータから受信状態情報の種類を表す情報を取得する第３の過程と、
前記端末装置が、前記取得した情報が表す種類の受信状態情報を生成する第４の過程と
を備えることを特徴とする受信状態通知方法。
【請求項１９】
端末装置から受信した受信状態情報に基づき、該端末装置に通信データを送信するチャネルを割り当てる基地局装置が具備するコンピュータを、
前記端末装置各々に送信するデータ量の指標となる値であるデータ量指標に基づき、端末装置各々に要求する受信状態情報の種類を決定する要求決定部、
前記決定した種類を表す情報を送信する要求送信部
として動作させるプログラム。
【請求項２０】
基地局装置に受信状態情報を送信し、該受信状態情報に基づき前記基地局装置が割り当てたチャネルにて前記基地局装置と通信する端末装置が具備するコンピュータを、
受信したデータから受信状態情報の種類を表す情報を取得する種類取得部、
前記取得した情報が表す種類の受信状態情報を生成する受信状態情報生成部
として動作させるプログラム。
【発明の詳細な説明】
【技術分野】
【０００１】
本発明は、基地局装置、端末装置、無線通信システム、受信状態通知方法およびプログラム、特に、端末装置が受信信号から受信状態を測定し、その結果を基に端末装置に割り当てたチャネルで通信する基地局装置、端末装置、無線通信システム、受信状態通知方法およびプログラムに関する。
【背景技術】
【０００２】
従来の無線通信システムにおいて、通信の効率（システムのトータルスループットや、受信エラーの発生を勘案した実質的な伝送速度）を改善する方法として、受信信号電力やＳＮＲ（Signal to Noise power Ratio：受信信号電力対雑音電力比）等の伝搬路状態及び受信状態を示す指標を元に、変調方式や、チャネル符号化率、誤り訂正符号化方式、拡散率、コード多重数、送信電力等の通信パラメータを、変化させる方式が提案されている（非特許文献１）。特に、変調方式やチャネル符号化率などの変調パラメータを適応的に選択する方式は適応変調方式と呼ばれている。
【０００３】
また、基地局装置と複数の端末装置とから構成され、基地局装置から端末装置への通信（下りリンク）においてマルチキャリア通信を用いる通信システムでは、１）下りリンク信号の各端末装置における各チャネルの受信状態に応じて、チャネルを各端末装置に割り当てるスケジューリングを行う、２）さらに下りリンクに対して、チャネル毎に、適応変調を行う方式が検討されている（例えば、非特許文献２、非特許文献３）。
ここで、チャネルは、１つまたは複数のサブキャリアからなるスケジューリングおよび適応変調の単位である。
【０００４】
なお、端末装置の受信状態に基づいたスケジューリングや適応変調方式を採用した通信システムでは、割り当てや変調パラメータを決定する為に、通信に使用するチャネルの受信信号電力やＳＮＲ等の伝搬路状態及び受信状態を示す指標を通信相手に通知する必要がある。
上記のようなマルチキャリア通信を用いるシステムでは、各端末装置が各チャネルに関する受信状態情報を、上りリンクの制御チャネル等を用いて、基地局装置へ通知する必要がある。この為、上りリンクで伝送する受信状態情報の情報量が、端末装置数およびチャネル数に比例して膨大になるという問題があった。
【０００５】
そして、上記問題を改善する為に、上りリンクで伝送する受信状態情報の情報量の削減を目的とした、第１の対策）、端末装置毎に、基地局が各端末装置に通信用として割り当てた全チャネルの受信状態を、各端末装置が測定して、全チャネルの受信状態の平均値のみを基地局へ通知する方法、第２の対策）、基地局が各端末装置に通信用として割り当てた全チャネルのうち、受信状態の良好なチャネルを、受信状態の良好な方から所定の数だけ選び、それらのチャネルの受信状態だけを基地局へ通知する方法、第３の対策）、基地局が各端末装置に通信用として割り当てた全チャネルの各チャネルの受信状態の値を、周波数軸方向に離散コサイン変換（Discrete Cosine Transform：ＤＣＴ）を施して圧縮する方法、第４の対策）、基地局が各端末装置に通信用として割り当てた全チャネルの中から、幾つかの基準チャネルを選定し、各チャネルの受信状態の値を、基準チャネルの受信状態の差分値で表し、これを基地局へ通知する方法等が提案されている（例えば、特許文献１、特許文献２、非特許文献３、非特許文献４、非特許文献５）。
【特許文献１】特開２００４−２０８２３４号公報
【特許文献２】特開２００６−５０５４５号公報
【非特許文献１】岸山他、「下りリンクＶＳＦ−ＯＦＣＤＭブロードバンド無線アクセスにおける適応変復調・チャネル符号化のスループット特性の実験結果」、電子情報通信学会技術研究報告、２００３年５月、ＲＣＳ２００３−２５
【非特許文献２】前原他、「サブキャリア適応変調を用いたＯＦＤＭ／ＴＤＤ伝送方式の検討」、２００１年電子情報通信学会総合大会、２００１年３月、Ｂ−５−１００、ｐ．４９８
【非特許文献３】「ＣＱＩ  ｒｅｐｏｒｔ  ａｎｄ  ｓｃｈｅｄｕｌｉｎｇ  ｐｒｏｃｅｄｕｒｅ」、３ＧＰＰ、ＴＳＧ−ＲＡＮ  ＷＧ１  Ｍｅｅｔｉｎｇ  ＃４２ｂｉｓ、Ｒ１−０５１０４５、２００５年１０月
【非特許文献４】「Ｓｅｎｓｉｔｉｖｉｔｙ  ｏｆ  ＤＬ／ＵＬ  Ｐｅｒｆｏｒｍａｎｃｅ  ｔｏ  ＣＱＩ−Ｃｏｍｐｒｅｓｓｉｏｎ  ｗｉｔｈ  Ｔｅｘｔ  Ｐｒｏｐｏｓａｌ」、３ＧＰＰ、ＴＳＧ−ＲＡＮ  ＷＧ１  ａｄ  ｈｏｃ  ｍｅｅｔｉｎｇ  ｏｎ  ＬＴＥ、Ｒ１−０６０２２８、２００６年１月
【非特許文献５】「Ａｓｓｅｓｍｅｎｔ  ｏｆ  ａｄａｐｔｉｖｅ  ｔｒａｎｓｍｉｓｓｉｏｎ  ｔｅｃｈｎｏｌｏｇｉｅｓ」、ＷＩＮＮＥＲ、ＩＳＴ−２００３−５０７５８１、Ｄ２．４  ｖｅｒ１．０、２００５年２月
【発明の開示】
【発明が解決しようとする課題】
【０００６】
しかしながら、従来の第１から第４の対策にあっては、伝送効率が良くなるようにスケジューリングできない、あるいは、受信状態の通知が非効率であるという問題がある。
第１の対策では、全チャネルの平均値を通知するので、チャネル毎の受信状態を基地局装置は取得できないため、伝搬路の周波数選択性を利用して、端末装置をそれぞれの受信状態が良好なチャネルに割り当てるスケジューリングができず、システム全体での伝送効率が低下する。また、各チャネルの受信状態に応じた適応変調ができないため、平均値よりも受信状態の良いチャネルでは伝送速度が低くなりすぎて非効率となり、平均値よりも受信状態の悪いチャネルでは誤り率特性が劣化してしまう。
【０００７】
第２の対策では、受信状態の良好なものを所定数だけ通知するので、複数の端末装置から通知されたチャネルが重複してしまった場合に、スケジューリングの結果、受信状態を通知したチャネルが割り当てられない端末装置が発生する可能性がある。このとき、当該端末装置の他のチャネルの受信状態は全くわからないため、空きチャネルにおいて端末装置の受信状態に基づいたスケジューリングや適応変調を行うことができず、伝送効率が低下してしまう。
第３および第４の対策では、スケジューリングにも適応変調にも利用されない受信状態についても通知を行っているため、受信状態の通知が非効率である。
【０００８】
本発明は、このような事情に鑑みてなされたもので、その目的は、伝送効率の優れたスケジューリングと、効率の良い受信状態情報の通知との両立を可能とする基地局装置、端末装置、無線通信システム、受信状態通知方法およびプログラムを提供することにある。
【課題を解決するための手段】
【０００９】
この発明は上述した課題を解決するためになされたもので、本発明の基地局装置は、端末装置から受信した受信状態情報に基づき、該端末装置に通信データを送信するチャネルを割り当てる基地局装置において、端末装置各々に送信するデータ量の指標となる値であるデータ量指標に基づき、前記端末装置各々に要求する受信状態情報の種類を決定する要求決定部と、前記決定した種類を表す情報を送信する要求送信部とを具備することを特徴とする。
【００１０】
これにより、基地局装置は、その要求決定部が端末装置各々に要求する受信状態情報の種類を決定する際に、各端末装置についてのデータ量指標に基づき、スケジューリングによりシステム全体の伝送効率を上げる効果が期待できる端末装置か否かを判定し、効果が期待できる端末装置については、より効率的なスケジューリングができる種類の受信状態情報とし、期待できる効果が少ない端末装置については、最低限の情報が得られる種類、すなわちデータ量の少ない種類とすることで、伝送効率を上げつつ、受信状態情報のデータ量を抑制することができるので、伝送効率の優れたスケジューリングと、効率の良い受信状態情報の通知との両立が可能となる。
【００１１】
また、本発明の基地局装置は、上述の基地局装置であって、前記受信状態情報の種類により、表される受信状態の精度が異なることを特徴とする。
【００１２】
これにより、基地局装置は、その要求決定部が端末装置各々に要求する受信状態情報の種類を決定する際に、各端末装置についてのデータ量指標に基づき、スケジューリングによりシステム全体の伝送効率を上げる効果が期待できる端末装置か否かを判定し、効果が期待できる端末装置については、スケジューリングを効果的に行える精度の高い受信状態が得られる種類の受信状態情報とし、期待できる効果が少ない端末装置については、前述の種類より精度の低い受信状態が得られる種類、すなわちデータ量の少ない種類とすることで、伝送効率を上げつつ、受信状態情報のデータ量を抑制することができるので、伝送効率の優れたスケジューリングと、効率の良い受信状態情報の通知との両立が可能となる。
【００１３】
また、本発明の基地局装置は、上述の基地局装置であって、前記要求決定部は、前記データ量指標が表すデータ量が多い端末装置ほど、前記精度が高い種類に決定することを特徴とする。
【００１４】
これにより、基地局装置は、その要求決定部が端末装置各々に要求する受信状態情報の種類を決定する際に、データ量指標が表すデータ量の多い端末装置ほど、スケジューリングによりシステム全体の伝送効率を上げる効果が期待できるので、データ量の多い端末装置については、スケジューリングを効果的に行える精度の高い受信状態が得られる種類とし、データ量指標が表すデータ量の少ない端末装置については、前述の種類より精度の低い受信状態が得られる種類、すなわちデータ量の少ない種類とすることで、伝送効率を上げつつ、受信状態情報のデータ量を抑制することができるので、伝送効率の優れたスケジューリングと、効率の良い受信状態情報の通知との両立が可能となる。
【００１５】
また、本発明の基地局装置は、上述の基地局装置であって、前記要求決定部は、前記データ量指標に加えて、前記端末装置の受信状態の時間変動の指標となる値である時間変動指標に基づき、各端末装置に要求する受信状態情報の種類を決定することを特徴とする。
【００１６】
これにより、基地局装置は、その要求決定部が端末装置各々に要求する受信状態情報の種類を決定する際に、各端末装置についてのデータ量指標と時間変動指標とに基づき、スケジューリングによりシステム全体の伝送効率を上げる効果が期待できる端末装置か否かを判定し、効果が期待できる端末装置については、より効率的なスケジューリングができる種類の受信状態情報とし、期待できる効果が少ない端末装置については、最低限の情報が得られる種類、すなわちデータ量の少ない種類とすることで、伝送効率を上げつつ、受信状態情報のデータ量を抑制することができるので、伝送効率の優れたスケジューリングと、効率の良い受信状態情報の通知との両立が可能となる。
【００１７】
また、本発明の基地局装置は、上述の基地局装置であって、前記受信状態情報の種類により、表される受信状態の精度が異なることを特徴とする。
【００１８】
これにより、基地局装置は、その要求決定部が端末装置各々に要求する受信状態情報の種類を決定する際に、各端末装置についてのデータ量指標と時間変動指標とに基づき、スケジューリングによりシステム全体の伝送効率を上げる効果が期待できる端末装置か否かを判定し、効果が期待できる端末装置については、スケジューリングを効果的に行える精度の高い受信状態が得られる種類の受信状態情報とし、期待できる効果が少ない端末装置については、前述の種類より精度の低い受信状態が得られる種類、すなわちデータ量の少ない種類とすることで、伝送効率を上げつつ、受信状態情報のデータ量を抑制することができるので、伝送効率の優れたスケジューリングと、効率の良い受信状態情報の通知との両立が可能となる。
【００１９】
また、本発明の基地局装置は、上述の基地局装置であって、前記要求決定部は、前記時間変動指標が表す時間変動が小さい端末装置ほど、前記精度が高い種類に決定することを特徴とする。
【００２０】
これにより、基地局装置は、その要求決定部が端末装置各々に要求する受信状態情報の種類を決定する際に、時間変動指標が表す時間変動の小さい端末装置ほど、スケジューリングによりシステム全体の伝送効率を上げる効果が期待できるので、時間変動の小さい端末装置については、スケジューリングを効果的に行える精度の高い受信状態が得られる種類とし、時間変動の大きい端末装置については、前述の種類より精度の低い受信状態が得られる種類、すなわちデータ量の少ない種類とすることで、伝送効率を上げつつ、受信状態情報のデータ量を抑制することができるので、伝送効率の優れたスケジューリングと、効率の良い受信状態情報の通知との両立が可能となる。
【００２１】
また、本発明の基地局装置は、上述の基地局装置であって、前記要求決定部は、前記時間変動指標が表す時間変動が小さく、かつ、前記データ量指標が表すデータ量が多い端末装置ほど、前記精度が高い種類に決定することを特徴とする。
【００２２】
これにより、基地局装置は、その要求決定部が端末装置各々に要求する受信状態情報の種類を決定する際に、時間変動指標が表す時間変動の小さく、かつ、データ量指標が表すデータ量が多い端末装置ほど、スケジューリングによりシステム全体の伝送効率を上げる効果が期待できるので、時間変動の小さく、かつ、データ量が多い端末装置については、スケジューリングを効果的に行える精度の高い受信状態が得られる種類とし、時間変動の大きい、あるいは、データ量が少ない端末装置については、前述の種類より精度の低い受信状態が得られる種類、すなわちデータ量の少ない種類とすることで、伝送効率を上げつつ、受信状態情報のデータ量を抑制することができるので、伝送効率の優れたスケジューリングと、効率の良い受信状態情報の通知との両立が可能となる。
【００２３】
また、本発明の基地局装置は、上述のいずれかの基地局装置であって、一の端末装置の前記時間変動指標は、前記一の端末装置に関する最大ドップラー周波数であることを特徴とする。
【００２４】
また、本発明の基地局装置は、上述のいずれかの基地局装置であって、各端末装置に送信する通信データを蓄積する送信バッファ部を具備し、一の端末装置の前記データ量指標は、前記送信バッファ部に蓄積されている前記一の端末装置に送信する通信データの量であることを特徴とする。
【００２５】
また、本発明の基地局装置は、上述のいずれかの基地局装置であって、一の端末装置の前記データ量指標は、前記一の端末装置に送信する通信データのビットレートであることを特徴とする。
【００２６】
また、本発明の基地局装置は、上述のいずれかの基地局装置であって、前記受信状態情報の種類のうち、第１の種類は、該端末装置が受信する可能性のある全てのチャネルの受信状態の代表値であり、第１の種類より受信状態を表す精度の高い第２の種類は、チャネル毎の受信状態を表す値であることを特徴とする。
【００２７】
また、本発明の基地局装置は、上述の基地局装置であって、前記第１の種類の受信状態情報は、受信状態を表す値の平均値、中央値、最低値のうちのいずれかの値であることを特徴とする。
【００２８】
また、本発明の基地局装置は、上述のいずれかの基地局装置であって、前記第２の種類の受信状態情報は、前記端末装置において受信状態が良好な予め決まった数のチャネル各々に関する受信状態を表す値であることを特徴とする。
【００２９】
また、本発明の基地局装置は、上述のいずれかの基地局装置であって、前記第２の種類の受信状態情報は、チャネル毎の受信状態を表す値に離散コサイン変換を施した値に基づく情報であることを特徴とする。
【００３０】
また、本発明の基地局装置は、上述のいずれかの基地局装置であって、前記第２の種類の受信状態情報は、受信状態を表す値の隣接するチャネルのとの差分を表す情報であることを特徴とする。
【００３１】
また、本発明の基地局装置は、上述のいずれかの基地局装置であって、前記第１の受信状態情報を通知してきた端末装置よりも、前記第２の受信状態情報を通知してきた端末装置に優先してチャネルを割り当てるスケジューリング部を具備することを特徴とする。
【００３２】
また、本発明の無線通信システムは、受信状態情報を送信する端末装置と、受信した前記受信状態に基づき前記端末装置に通信データを送信するチャネルを割り当てる基地局装置とを具備する無線通信システムにおいて、前記基地局装置は、前記端末装置各々に送信するデータ量の指標となる値であるデータ量指標に基づき、前記端末装置各々に要求する受信状態情報の種類を決定する要求決定部と、前記決定した種類を表す情報を送信する要求送信部とを具備し、前記端末装置は、受信したデータから受信状態情報の種類を表す情報を取得する種類取得部と、前記取得した情報が表す種類の受信状態情報を生成する受信状態情報生成部とを具備することを特徴とする。
【００３３】
また、本発明の受信状態通知方法は、受信状態情報を送信する端末装置と、受信した前記受信状態に基づき前記端末装置に通信データを送信するチャネルを割り当てる基地局装置とを具備する無線通信システムにおける受信状態通知方法において、前記基地局装置が、前記端末装置各々に送信するデータ量の指標となる値であるデータ量指標に基づき、前記端末装置各々に要求する受信状態情報の種類を決定する第１の過程と、前記基地局装置が、前記決定した種類を表す情報を送信する第２の過程と、前記端末装置が、受信したデータから受信状態情報の種類を表す情報を取得する第３の過程と、前記端末装置が、前記取得した情報が表す種類の受信状態情報を生成する第４の過程とを備えることを特徴とする。
【００３４】
また、本発明のプログラムは、端末装置から受信した受信状態情報に基づき、該端末装置に通信データを送信するチャネルを割り当てる基地局装置が具備するコンピュータを、前記端末装置各々に送信するデータ量の指標となる値であるデータ量指標に基づき、端末装置各々に要求する受信状態情報の種類を決定する要求決定部、前記決定した種類を表す情報を送信する要求送信部として動作させる。
【００３５】
また、本発明のプログラムは、基地局装置に受信状態情報を送信し、該受信状態情報に基づき前記基地局装置が割り当てたチャネルにて前記基地局装置と通信する端末装置が具備するコンピュータを、受信したデータから受信状態情報の種類を表す情報を取得する種類取得部、前記取得した情報が表す種類の受信状態情報を生成する受信状態情報生成部として動作させる。
【発明の効果】
【００３６】
この発明によれば、要求決定部が端末装置各々に要求する受信状態情報の種類を決定する際に、各端末装置についてのデータ量指標に基づき、スケジューリングによりシステム全体の伝送効率を上げる効果が期待できる端末装置か否かを判定し、効果が期待できる端末装置については、より効率的なスケジューリングができる種類の受信状態情報とし、期待できる効果が少ない端末装置については、最低限の情報が得られる種類、すなわちデータ量の少ない種類とすることで、伝送効率を上げつつ、受信状態情報のデータ量を抑制することができるので、伝送効率の優れたスケジューリングと、効率の良い受信状態情報の通知との両立が可能となる。
【発明を実施するための最良の形態】
【００３７】
以下に、基地局装置から端末装置への下りリンクに直交周波数分割多重（Orthogonal Frequency Division Multiplex；以下、「ＯＦＤＭ」という）システムを採用し、少なくとも１つのサブキャリアからなるチャネル毎に適応変調および適応スケジューリング（チャネルの割り当て）を行うセルラーシステムに本発明を適用した実施形態を挙げて説明する。
なお、以下の各実施形態の説明では、受信状態情報として受信したパイロットシンボルに基づき算出した指標、例えば、ＣＮＲ（Carrier to Noise power Ratio：搬送波電力対雑音電力比）を用いる。
【００３８】
［第１の実施形態］
以下、図面を参照して、本発明の第１の実施形態について説明する。図１は、本実施形態における下りリンクのサブフレーム構成の一例を示した図である。図１に示すように、本実施形態におけるチャネルとは、１つあるいは複数のサブキャリアを意味している。またここで、サブフレームは送信単位を意味するものとし、これを１回のスケジューリング処理においてチャネルの割り当てを行う範囲とする。また、サブフレームを時間軸方向に所定の時間長ＴＴＩ（Transmission Time Interval：送信時間区間）でＴ個（Ｔは自然数）に分割し、１チャネルにおける１ＴＴＩ内をスケジューリングの単位（以下、「リソースブロック」という）とする場合について説明する。
【００３９】
図１の右上にサブフレーム中で、最初に送信されるリソースブロックのうちの一つの詳細を示す。１つのチャネルは１０のサブキャリアに分割され、１つのＴＴＩは１０のＯＦＤＭシンボルに分割される。このリソースブロックにおける第１番目のＯＦＤＭシンボルには周波数が最小と最大のサブキャリアにパイロットシンボルが配置され、その他にも２つのパイロットシンボルが等間隔に配置される。パイロットシンボルが配置されていないサブキャリアには下りリンク制御情報シンボルが配置される。第２番目のＯＦＤＭシンボルの全てのサブキャリアには下りリンク制御情報シンボルが配置される。第３番目以降のＯＦＤＭシンボルには、データシンボルが配置される。ただし、第５番目のＯＦＤＭシンボルの周波数が小さい方から第２、５、８番目のサブキャリアにはパイロットシンボルが配置され、第９番目のＯＦＤＭシンボルの第３、６、９番目のサブキャリアにはパイロットシンボルが配置される。
【００４０】
また、図１の右下には、第２番目以降に送信されるリソースブロックの詳細を示す。このリソースブロックは上述のリソースブロックと略同一であるが、下りリンク制御情報シンボルが配置されておらず、その代わりにデータシンボルが配置される。なお、本発明の適用範囲は図１のサブフレーム構成に限定されるものではなく、複数のチャネルを用いて通信を行うシステムにおいて、各端末装置における各チャネルの受信状態が異なる可能性のあるシステムに対して、本発明は適用可能である。
【００４１】
図２は、本実施形態における基地局装置２００の構成を示す概略ブロック図である。基地局装置２００は、送信バッファ部２０１、符号化部２０２、マッピング部２０３、ＩＦＦＴ（Inverse Fast Fourier Transformation：高速逆フーリエ変換）部２０４、ＧＩ（Guard Interval：ガード期間）挿入部２０５、Ｄ／Ａ（Digital-to-Analog）変換部２０６、無線送信部２０７、アンテナ部２０８、無線受信部２０９、Ａ／Ｄ（Analog-to-Digital）変換部２１０、デマッピング部２１１、復号化部２１２、通知要求決定部２１３、スケジューリング部２１４、下りリンク制御情報生成部２１５、パイロット生成部２１６、受信状態情報記憶部２１７を具備する。
【００４２】
まず、基地局装置２００が下りリンク信号を送信する手順を図２を用いて説明する。送信バッファ部２０１は、入力された送信データを送信先の端末装置３００毎にバッファに蓄積し、バッファに蓄積されている各端末装置３００宛の送信データ量（データ量指標）を通知要求決定部２１３へ出力する。通知要求決定部（要求決定部）２１３は、送信バッファ部２０１からの各端末装置３００宛の送信データ量情報に基づいて、各端末装置３００に対して、全チャネルの受信状態の平均値を表す第１の受信状態情報（１個の情報；以下、「平均受信状態情報」という）と、各チャネルに関するそれぞれの受信状態を表す第２の受信状態情報（チャネル個数分の情報；以下、「個別受信状態情報」という）という表される受信状態の精度が異なる２種類の受信状態情報のどちらを通知要求するかを決定し、該決定結果を通知要求情報として下りリンク制御情報生成部２１５へ出力する。通知要求決定部２１３における、通知要求の決定手順の詳細については後述する。
【００４３】
なお、ここで全チャネルとは、各端末装置３００に関してそれぞれの端末装置３００宛の送信データが割り当てられる可能性のある全てのチャネルを表し、例えば、下りリンクに用いられる周波数帯域に含まれる全てのチャネル、各端末装置３００がそれぞれ受信すべき帯域として基地局装置２００との間で決定された下りリンクの一部の周波数帯域に含まれる全てのチャネル、または各端末装置３００が割り当てを要求する全てのチャネルなどのいずれかを表す。以降の実施形態においても同様である。
【００４４】
スケジューリング部２１４は、受信状態情報記憶部２１７に記憶された各端末装置３００から通知された受信状態情報を読み出し、該情報に基づいて各チャネルの各リソースブロックに端末装置３００を割り当て（スケジューリングし）、それぞれのリソースブロックで使用する変調パラメータを選択し、該スケジューリング結果（スケジューリング情報）と該変調パラメータ選択結果（変調パラメータ情報）とを出力する。なおスケジューリングは、さらに送信バッファ部２０１からの送信データ量を表す情報に基づいて行われても良い。なお、スケジューリング部２１４の動作の詳細については後述する。
【００４５】
下りリンク制御情報生成部（要求送信部）２１５は、通知要求決定部２１３からの通知要求情報およびスケジューリング部２１４からのスケジューリング情報と変調パラメータ情報とを含む下りリンク制御情報を生成し出力する。なお、通知要求情報が前回の通知要求情報と同じ端末装置３００に関しては該通知要求情報を下りリンク制御情報に含めない構成としても良い。また、例えば、平均受信状態情報の通知要求情報と個別受信状態情報の通知要求情報のうち一方については、該当する宛先の端末装置３００に関する要求通知情報に対しては下りリンク制御情報にビットを割り当てない構成としても良い。
【００４６】
符号化部２０２は、スケジューリング部２１４から通知される下りリンクへの各端末装置の割り当て情報（スケジューリング情報）に従って送信バッファ部２０１から各端末装置宛の必要量の送信データを読み出し、さらにスケジューリング部２１４から通知される変調パラメータ情報およびスケジューリング情報に従って各端末装置３００宛の送信データに対して誤り訂正符号化処理を行い、データ系列を生成し出力する。パイロット生成部２１６は、端末装置３００における受信状態測定のために送信信号へ挿入するパイロットシンボルの系列であるパイロット系列を生成し出力する。
【００４７】
マッピング部２０３は、符号化部２０２が出力したデータ系列の各ビットをスケジューリング部２１４から通知される変調パラメータ情報およびスケジューリング情報に基づいたサブキャリア上の変調シンボルへマッピングし、下りリンク制御情報生成部２１５で生成された下りリンク制御情報およびパイロット生成部２１６で生成されたパイロット系列を所定のサブキャリア上の所定の変調シンボルへマッピングを行い、出力する。例えば、図１の例において、データ系列は図中のデータシンボルへスケジューリング情報に基づいてマッピングされ、パイロット系列は図中の所定のパイロットシンボルへ、下りリンク制御情報は図中の所定の下りリンク制御情報シンボルへ、それぞれマッピングされる。
【００４８】
ＩＦＦＴ部２０４は、マッピング部２０３から出力された変調シンボル系列を逆高速フーリエ変換ＩＦＦＴ処理して、時間軸のＯＦＤＭ信号に変換し、変換した信号をＧＩ挿入部２０５へ出力する。ＧＩ挿入部２０５は、ＩＦＦＴ部２０４で生成されたＯＦＤＭ信号にガード期間ＧＩを付加する。Ｄ／Ａ変換部２０６は、ガード期間ＧＩを付加された信号をアナログ信号に変換する。無線送信部２０７は、該アナログ信号を、アップコンバートして、下りリンク信号としてアンテナ部２０８より端末装置３００に送信する。
【００４９】
図３は、本実施形態における端末装置３００の構成を示す概略ブロック図である。端末装置３００は、アンテナ部３０１、無線受信部３０２、Ａ／Ｄ変換部３０３、ＧＩ除去部３０４、ＦＦＴ（Fast Fourier Transformation：高速フーリエ変換）部３０５、デマッピング部３０６、復号化部３０７、受信状態測定部３０８、受信状態情報生成部３０９、符号化部３１０、マッピング部３１１、Ｄ／Ａ変換部３１２、無線送信部３１３、復調制御部３１４を具備する。
【００５０】
下りリンク信号を端末装置３００が受信する動作について図３を用いて説明する。基地局装置２００から送信された信号を、アンテナ部３０１を経て無線受信部３０２が受信して、ダウンコンバートする。Ａ／Ｄ変換部３０３は、無線受信部３０２がダウンコンバートしたアナログ信号を、デジタル信号に変換する。ＧＩ除去部３０４は、このデジタル信号からガード期間ＧＩを除去し、ガード期間ＧＩを除去したＯＦＤＭ信号をＦＦＴ部３０５に出力する。ＦＦＴ部３０５は、ＧＩ除去部３０４から出力されたＯＦＤＭ信号を高速フーリエ変換ＦＦＴすることにより、変調シンボル系列に変換する。デマッピング部３０６は、ＦＦＴ部３０５から出力された変調シンボル系列から、まずパイロットシンボルを分離し受信状態測定部３０８に出力する。次に下りリンク制御情報をデマッピングし復調制御部３１４に出力する。さらに復調制御部３１４からのスケジューリング情報および変調パラメータ情報に従ってデータ系列をデマッピングし復号化部３０７に出力する。なお、パイロットシンボルに基づいて変調シンボル系列に対して伝搬路補償を行っても良い。
【００５１】
復号化部３０７は、復調制御部３１４から出力されたスケジューリング情報および変調パラメータ情報に従い、デマッピング部３０６から出力されたデータ系列に対して誤り訂正復号化処理を行い、受信データを出力する。復調制御部（種類取得部）３１４は、デマッピング部３０６から入力された下りリンク制御情報からスケジューリング情報（端末装置３００宛の送信データに割り当てられたチャネルに関する情報）、変調パラメータ情報（該割り当てられたチャネルの変調パラメータに関する情報）、および通知要求情報を抽出し、スケジューリング情報および変調パラメータ情報をデマッピング部３０６および復号化部３０７へ、通知要求情報を受信状態情報生成部３０９へそれぞれ出力する。
【００５２】
なお、下りリンク制御情報が基地局装置２００において予め誤り訂正符号化されている場合は、復調制御部３１４が誤り訂正復号化する。また、基地局装置２００が、通知要求情報が前回と同じである端末装置３００に対して通知要求情報を通知しないようなシステムでは、下りリンク制御情報に自端末装置宛の通知要求情報が存在しない場合、前回基地局装置２００へ通知したものと同じ種類の受信状態情報を生成するように受信状態情報生成部３０９へ指示する。さらに、基地局装置２００が、平均受信状態情報の通知要求情報と個別受信状態情報の通知要求情報のうち一方については、下りリンク制御情報にビットを割り当てないようなシステムでは、下りリンク制御情報に自端末装置宛の通知要求情報が存在しない場合、該当する種類の受信状態情報を生成するように受信状態情報生成部３０９へ指示する。
【００５３】
次に、端末装置３００が受信状態情報を基地局装置２００にフィードバックする手順を、図３を用いて説明する。受信状態測定部３０８は、デマッピング部３０６から出力されたパイロットシンボルから各チャネルにおける搬送波電力対雑音電力比ＣＮＲを算出することで、各チャネルにおける受信状態を測定し、この受信状態測定結果を受信状態情報生成部３０９に出力する。なお、本実施形態では、パイロットシンボルを用いて受信状態を測定するが、データシンボルを用いて受信状態を測定してもよいし、受信データの誤り訂正復号判定結果を用いて受信状態を測定してもよい。受信状態情報生成部３０９は、復調制御部３１４から出力された通知要求情報が平均受信状態情報を要求する情報である場合は、受信状態測定部３０８から出力された全てのチャネルにおける受信状態測定結果の平均値を算出し、該算出結果を表す受信状態情報を生成する。また、通知要求情報が個別受信状態情報を要求する情報である場合は、受信状態情報生成部３０９は、受信状態測定部３０８から出力された各チャネルにおける受信状態測定結果を表す受信状態情報を生成し出力する。
【００５４】
符号化部３１０は、基地局装置２００への送信データを誤り訂正符号化し、データ系列を出力する。マッピング部３１１は、受信状態情報生成部３０９が生成した受信状態情報と、符号化部３１０が出力したデータ系列とを変調シンボルにマッピングし出力する。なお受信状態情報は、基地局装置２００への送信データとは別に基地局装置２００へ通知しても良い。Ｄ／Ａ変換部３１２は、マッピング部３１１から出力された信号をアナログ信号に変換する。この変換されたアナログ信号を、無線送信部３１３は、アップコンバートし、アンテナ部３０１から基地局装置２００に送信する。
【００５５】
次に、基地局装置２００が、端末装置３００から送信された受信状態情報を受信する手順を、図２を用いて説明する。端末装置３００から送信された信号を、アンテナ部２０８を経て無線受信部２０９が受信して、ダウンコンバートする。このダウンコンバートしたアナログ信号を、Ａ／Ｄ変換部２１０は、デジタル信号に変換し、デマッピング部２１１へ出力する。デマッピング部２１１は、Ａ／Ｄ変換部２１０から送られたデジタル信号（変調シンボル）をデマッピングし、受信状態情報とデータ系列とを分離し、受信状態情報を受信状態情報記憶部２１７へ、データ系列を復号化部２１２へ、それぞれ出力する。復号化部２１２は、デマッピング部２１１で取り出されたデータ系列を誤り訂正復号化し、受信データを取り出す。受信状態情報記憶部２１７は、デマッピング部２１１が分離した各端末装置３００から通知された受信状態情報を端末装置３００毎に記憶し、スケジューリング部２１４からの要求に応じて出力する。
【００５６】
次に、通知要求決定部２１３における通知要求情報の決定動作の詳細について図４を用いて説明する。図４は、本実施形態における通知要求情報の決定の動作の一例を表すフローチャートである。まず通知要求決定部２１３は、送信バッファ部２０１から各端末装置３００宛の送信データ量を取得し（Ｓ４０１）、それぞれの端末装置３００（１番目の端末装置３００からＮ番目の端末装置３００）について以下の処理を繰り返す（Ｓ４０２からＳ４０６のループ１）。通知要求決定部２１３は、それぞれの端末装置３００について、当該端末装置３００宛の送信データ量と、所定の閾値、例えば全端末装置３００宛の送信データ量の平均値とを比較し（Ｓ４０３）、送信データ量が前記閾値以上である場合は、当該端末装置３００に対して個別受信状態情報を要求することを選択する（Ｓ４０４）。一方、ステップＳ４０３の比較の結果、送信データ量が前記閾値未満である場合は、通知要求決定部２１３は、当該端末装置３００に対して平均受信状態情報を要求することを選択する（Ｓ４０５）。
【００５７】
なお、本実施形態では、各端末装置３００へ基地局装置２００が送信する送信データ量の大小を判定し、通知要求情報の決定に用いる所定の閾値として、「全端末装置３００宛の送信データ量の平均値」を用いた場合について説明した。しかしながら、通知要求情報の決定に用いる所定の閾値は、これに限定されるものではなく、例えば、平均受信状態情報を通知する端末装置数と、個別受信状態情報を通知する端末装置数とが予め定めた割合となるように定めた値や、通知要求情報に応じて全端末装置３００から通知される受信状態情報の総情報量が予め定めた値以下となるような端末装置数の割合を実現する値のように、各端末装置へ基地局装置が送信する送信データ量の大小を判定できる指標であれば、何を用いても良い。また、通知要求情報の決定に用いる所定の閾値の大きさは、０より大きく、送信バッファ部２０１に蓄積可能な各端末装置３００当たりの最大送信データ量以下の値であることが望ましい。
【００５８】
次に、スケジューリング部２１４におけるスケジューリング動作と変調パラメータ選択動作の詳細について図５を用いて説明する。図５は、本実施形態におけるスケジューリング動作と変調パラメータ選択動作の一例を表すフローチャートである。スケジューリング部２１４は、受信状態情報記憶部２１７から各端末装置３００から通知された受信状態情報を読み込む（Ｓ５０１）。スケジューリング部２１４は、まず個別受信状態情報を通知してきた各端末装置３００へ送信する送信データを、各端末装置３００の各チャネルの受信状態情報に基づいて、リソースブロックに割り当てる（Ｓ５０２）。次に、スケジューリング部２１４は、ステップＳ５０２で割り当てた各リソースブロックについて、それぞれのリソースブロックに割り当てられた端末装置３００の当該チャネルにおける受信状態情報に基づいて、変調パラメータを選択し（Ｓ５０３）、次に平均受信状態情報を通知してきた各端末装置３００へ送信する送信データを、各端末装置３００の受信状態情報に基づいて、ステップＳ５０２で割り当てた残りのリソースブロックに割り当てる（Ｓ５０４）。スケジューリング部２１４は、ステップＳ５０４で割り当てた各リソースブロックについて、それぞれのリソースブロックに割り当てられた各端末装置３００の受信状態情報に基づいて、変調パラメータを選択し（Ｓ５０５）、スケジューリング結果（スケジューリング情報）と変調パラメータ選択結果（変調パラメータ情報）を出力する（Ｓ５０６）。
【００５９】
本実施形態における、送信データ量に基づく受信状態情報の通知要求の決定の概念を、図６を用いて説明する。図６は、ある端末装置３００における、各チャネルの受信状態（図６では受信状態としてＳＮＲ（Signal to Noise Ratio：Ｓ／Ｎ比）を使用）の一例を示すグラフＧ１と、そのとき各チャネルで選択可能な最大伝送速度を実現する変調パラメータ（図６では変調パラメータとして変調方式を使用）に対して、該端末装置３００宛の送信データ量が小さい場合（ケース１）と大きい場合（ケース２）のそれぞれについて各チャネルのリソースブロックに送信データを割り当て可能かどうかの一例を示した図である。図６において変調方式として示したＱＰＳＫは、４位相偏移変調（Quadrature Phase Shift Keying）であり、１６ＱＡＭは、１６値直交振幅変調（１６ Quadrature Amplitude Modulation）であり、６４ＱＡＭは、６４値直交振幅変調（６４ Quadrature Amplitude Modulation）であり、後になるほど伝送効率が高くなり大きな伝送速度を実現できる。
【００６０】
図６の例に示すように、送信バッファ部２０１に蓄積されている送信データ量が小さく、変調方式がＱＰＳＫであるリソースブロック１個によっても伝送可能なケース１においては、どのチャネルのリソースブロックに対しても送信データを割り当て可能となる。このようなケース１では、各チャネルに関するそれぞれの受信状態を表す第２の受信状態情報（個別受信状態情報）を通知する必要はなく、全チャネルの受信状態の平均値を表す第１の受信状態情報（平均受信状態情報）を通知すれば十分である。
【００６１】
また、送信バッファ部２０１に蓄積されている送信データ量が大きく、１個のリソースブロックでは変調方式が６４ＱＡＭであるチャネル３のリソースブロックのみで伝送可能となるケース２においては、割り当て可能なリソースブロックを抽出して送信データを割り当てなければならない。このようなケース２では、全チャネルの受信状態の平均値を表す第１の受信状態情報（平均受信状態情報）に基づくスケジューリングでは複数のリソースブロックを割り当てることとなるため非効率であり、各チャネルに関するそれぞれの受信状態を表す第２の受信状態情報（個別受信状態情報）を通知することによって詳細なスケジューリングを行うことが好ましい。
なお、以降の実施形態においても同様である。
【００６２】
このように、本実施形態によれば、複数の端末装置３００から基地局装置２００へ受信状態情報を通知する際に、各端末装置３００宛の下りリンク送信データ量に応じて、全チャネルの受信状態の平均値を表す平均受信状態情報を通知するか、全チャネルそれぞれの受信状態を表す個別受信状態情報を通知するかを選択する。すなわち、送信データ量が多いときは、表される受信状態の精度が高い個別受信状態情報を通知し、送信データ量が少ないときは、個別受信状態情報よりも表される受信状態の精度が低い平均受信状態情報を通知する。そのため、多くの送信データが送信されるため、下りリンクで多くのリソースブロックを割り当てる必要のある端末装置３００については、各チャネル個別の詳細な受信状態情報に基づく効率的なスケジューリングおよび適応変調を優先的に行うことが可能となり、より高速な伝送が実現できる。
【００６３】
一方、下りリンクで送信すべきデータが比較的少ない端末装置３００については、全チャネルの受信状態の平均値を表す受信状態情報に基づいてスケジューリングおよび適応変調を行うことにより、それらの端末装置３００から上りリンクを用いて通知すべき受信状態情報の情報量を削減することができる。
以上から、システム全体において、各端末装置３００からの上りリンクでの受信状態情報の総通知量を抑えて効率の良い受信状態情報の通知を実現し、かつ、高速・大容量の通信を必要とする端末装置３００に対して効率的なスケジューリングと適応変調を適用し、システム全体の伝送効率を上げる効率的なスケジューリングと適応変調とを実現することが可能となる。
【００６４】
［第２の実施形態］
以下、図面を参照して、本発明の第２の実施形態について説明する。図７および図８は、それぞれ本実施形態における基地局装置６００および端末装置７００の構成を示す概略ブロック図である。第１の実施形態では、基地局装置２００からそれぞれの端末装置３００へ通知要求する受信状態情報として、全チャネルの受信状態の平均値を表す平均受信状態情報と、各チャネルに関するそれぞれの受信状態を表す個別受信状態情報とのどちらかを選択する場合について説明した。本実施形態における基地局装置６００は、通知要求する受信状態情報として、第１の受信状態情報である平均受信状態情報と、受信状態が良好な所定数Ｍ個（Ｍは自然数かつ全チャネル数未満）のチャネルに関するチャネルの識別情報と受信状態を表す第２の受信状態情報（以下、「Ｔｏｐ−Ｍ受信状態情報」という）とのどちらかを選択する。
【００６５】
このため、基地局装置６００の機能ブロックのうち、基地局装置２００の通知要求決定部２１３に相当する通知要求決定部６１３、基地局装置２００のスケジューリング部２１４に相当するスケジューリング部６１４、および基地局装置２００の受信状態情報記憶部２１７に相当する受信状態情報記憶部６１７が、第１の実施形態とは異なる。また、本実施形態における端末装置７００は、端末装置３００の受信状態情報生成部３０９に相当する受信状態情報生成部７０９が第１の実施形態とは異なる。基地局装置６００および端末装置７００のその他の構成（２０１〜２１２、２１５、２１６、３０１〜３０８、３１０〜３１４）は第１の実施形態（図２、図３）と同様であり、その説明は省略する。
【００６６】
図７の基地局装置６００において、通知要求決定部６１３は、送信バッファ部からの各端末装置宛の送信データ量情報に基づいて、各端末装置に対して、平均受信状態情報と、Ｔｏｐ−Ｍ受信状態情報とのどちらを通知要求するかを決定し、該決定結果を通知要求情報として下りリンク制御情報生成部へ出力する。なお、通知要求情報の決定手順の詳細については後述する。スケジューリング部６１４は、受信状態情報記憶部６１７に記憶された各端末装置から通知された受信状態情報を読み出し、該情報に基づいて各チャネルの各リソースブロックに端末装置７００を割り当て（スケジューリングし）、それぞれのリソースブロックで使用する変調パラメータを選択し、該スケジューリング結果（スケジューリング情報）と該変調パラメータ選択結果（変調パラメータ情報）とを出力する。なおスケジューリングは、さらに送信バッファ部２０１からの送信データ量情報に基づいて行われても良い。なお、スケジューリング部６１４の動作の詳細については後述する。受信状態情報記憶部６１７は、デマッピング部２１１が分離した各端末装置７００から通知された受信状態情報を端末装置７００毎に記憶し、スケジューリング部６１４へ出力する。なお、Ｔｏｐ−Ｍ受信状態情報が通知された場合は、同時に対応するチャネルの識別情報を記憶する。
【００６７】
図８の端末装置７００において、受信状態情報生成部７０９は、復調制御部３１４から出力された通知要求情報に基づき、該通知要求情報が平均受信状態情報を要求する情報である場合は、受信状態測定部３０８から出力された全てのチャネルにおける受信状態測定結果の平均値を算出し、該算出結果を表す受信状態情報を生成し、通知要求情報がＴｏｐ−Ｍ受信状態情報を要求する情報である場合は、受信状態測定部３０８から出力された受信状態測定結果の良好なチャネルをＭ個選択し、該Ｍ個のチャネルの識別情報とＭ個の該チャネルの受信状態測定結果を表す受信状態情報を生成し出力する。
【００６８】
次に、通知要求決定部６１３における通知要求情報の決定動作の詳細について図９を用いて説明する。図９は、本実施形態における通知要求情報の決定の動作の一例を表すフローチャートである。まず通知要求決定部６１３は、送信バッファ部２０１から各端末装置７００宛の送信データ量を取得し（Ｓ８０１）、それぞれの端末装置７００（１番目の端末装置７００からＮ番目の端末装置７００）について以下の処理を繰り返す（Ｓ８０２からＳ８０６のループ２）。それぞれの端末装置７００について、当該端末装置７００宛の送信データ量と、所定の閾値、例えば全端末装置７００宛の送信データ量の平均値とを比較し（Ｓ８０３）、送信データ量が前記閾値以上である場合は、当該端末装置７００に対してＴｏｐ−Ｍ受信状態情報を要求することを選択し（Ｓ８０４）、送信データ量が前記閾値未満である場合は、当該端末装置７００に対して平均受信状態情報を要求することを選択する（Ｓ８０５）。
【００６９】
なお、本実施形態では、通知要求情報の決定のために、各端末装置７００へ基地局装置６００が送信するデータ量の大小の判定に用いる所定の閾値として、「全端末装置７００宛の送信データ量の平均値」を用いた場合について説明した。しかしながら、通知要求情報の決定に用いる所定の閾値は、これに限定されるものではなく、例えば、平均受信状態情報を通知する端末装置数とＴｏｐ−Ｍ受信状態情報を通知する端末装置数とが予め定めた割合となるように定めた値、通知要求情報に応じて全端末装置７００から通知される受信状態情報の総情報量が予め定めた値以下となるような端末装置数の割合を実現する値のように、各端末装置７００へ基地局装置６００が送信するデータ量の大小を判定できる指標であれば、何を用いても良い。また、通知要求情報の決定に用いる所定の閾値の大きさは、０より大きく、送信バッファ部２０１に蓄積可能な各端末装置７００当たりの最大送信データ量以下の値であることが望ましい。
【００７０】
次に、スケジューリング部６１４におけるスケジューリング動作と変調パラメータ選択動作の詳細について図１０を用いて説明する。図１０は、本実施形態におけるスケジューリング動作と変調パラメータ選択動作の一例を表すフローチャートである。スケジューリング部６１４は、受信状態情報記憶部６１７から各端末装置７００から通知された受信状態情報を読み込み（Ｓ９０１）、まずＴｏｐ−Ｍ受信状態情報を通知してきた各端末装置７００へ送信する送信データを、各端末装置７００の通知された各チャネルの受信状態情報に基づいて、リソースブロックに割り当てる（Ｓ９０２）。さらに、スケジューリング部６１４は、ステップＳ９０２で割り当てた各リソースブロックについて、それぞれのリソースブロックに割り当てられた端末装置７００の当該チャネルにおける受信状態情報に基づいて、変調パラメータを選択する（Ｓ９０３）。
【００７１】
次に、平均受信状態情報を通知してきた各端末装置７００へ送信する送信データを、各端末装置７００の受信状態情報に基づいて、ステップＳ９０２で割り当てた残りのリソースブロックに割り当てる（Ｓ９０４）。さらに、スケジューリング部６１４は、ステップＳ９０４で割り当てた各リソースブロックについて、それぞれのリソースブロックに割り当てられた各端末装置７００の受信状態情報に基づいて、変調パラメータを選択する（Ｓ９０５）。スケジューリング部６１４は、ステップＳ９０２、Ｓ９０４のスケジューリング結果（スケジューリング情報）と、ステップＳ９０３、９０５の変調パラメータ選択結果（変調パラメータ情報）とを出力する（Ｓ９０６）。
【００７２】
このように、本実施形態によれば、複数の端末装置７００から基地局装置６００へ受信状態情報を通知する際に、各端末装置７００宛の下りリンク送信データ量に応じて、全チャネルの受信状態の平均値を表す平均受信状態情報を通知するか、受信状態の良好な所定数Ｍ個のチャネルに関する受信状態を表すＴｏｐ−Ｍ受信状態情報を通知するかを選択する。すなわち、送信データ量が多いときは、表される受信状態の精度が高いＴｏｐ−Ｍ受信状態情報を通知し、送信データ量が少ないときは、Ｔｏｐ−Ｍ受信状態情報よりも表される受信状態の精度が低い平均受信状態情報を通知する。そのため、多くの送信データが送信されるため、下りリンクで多くのリソースブロックを割り当てる必要のある端末装置７００については、受信状態の良好なチャネルに関する個別の詳細な受信状態情報に基づく効率的なスケジューリングおよび適応変調を優先的に行うことが可能となり、より高速な伝送が実現できる。
【００７３】
また、全ての端末装置について受信状態の良好な所定数のチャネルに関する受信状態を表すＴｏｐ−Ｍ受信状態情報を通知するシステムと比較して、Ｔｏｐ−Ｍ受信状態情報を通知させる端末装置７００を各端末装置７００宛の下りリンク送信データ量に応じて選択し限定するため、複数の端末装置７００から通知された所定数の受信状態の良好なチャネルが重複することによるスケジューリング効率低下の可能性を低減することが可能となる。
【００７４】
一方、下りリンクで送信すべきデータが比較的少ない端末装置７００については、全チャネルの受信状態の平均値を表す平均受信状態情報に基づいてスケジューリングおよび適応変調を行うことにより、それらの端末装置７００から上りリンクを用いて通知すべき受信状態情報の情報量を削減することができる。
以上から、システム全体において、各端末装置７００からの上りリンクでの受信状態情報の総通知量を抑えて効率の良い受信状態情報の通知を実現し、かつ、高速・大容量の通信を必要とする端末装置７００に対して効率的なスケジューリングと適応変調を適用し、システム全体の伝送効率を上げる効率的なスケジューリングと適応変調とを実現することが可能となる。
【００７５】
なお本実施形態では、受信状態情報として、平均受信状態情報と、受信状態が良好な所定数Ｍ個のチャネルに関するチャネルの識別情報と受信状態を表す受信状態情報（Ｔｏｐ−Ｍ受信状態情報）とのどちらかを選択する場合について説明したが、Ｔｏｐ−Ｍ受信状態情報に代わって、受信状態が良好な所定数Ｍ個のチャネルに関するチャネルの識別情報と該Ｍ個のチャネルにおける受信状態の平均値を表す受信状態情報を用いても良い。
【００７６】
［第３の実施形態］
以下、図面を参照して、本発明の第３の実施形態について説明する。図１１および図１２は、それぞれ本実施形態における基地局装置１０００および端末装置１１００の構成を示す概略ブロック図である。第１の実施形態では、基地局装置２００からそれぞれの端末装置３００へ通知要求する受信状態情報として、全チャネルの受信状態の平均値を表す平均受信状態情報と、各チャネルに関するそれぞれの受信状態を表す個別受信状態情報とのどちらかを選択する場合について説明した。本実施形態における基地局装置１０００は、通知要求する受信状態情報として、第１の受信状態情報である平均受信状態情報と、全チャネルに関するそれぞれの受信状態を表す情報を離散コサイン変換によって情報圧縮した第２の受信状態情報（以下、「ＤＣＴ受信状態情報」という）とのどちらかを選択する。
【００７７】
このため、基地局装置１０００の機能ブロックのうち、基地局装置２００の通知要求決定部２１３に相当する通知要求決定部１０１３、基地局装置２００のスケジューリング部２１４に相当するスケジューリング部１０１４、および基地局装置２００の受信状態情報記憶部２１７に相当する受信状態情報記憶部１０１７が、第１の実施形態とは異なる。また、本実施形態における端末装置１１００は、端末装置３００の受信状態情報生成部３０９に相当する受信状態情報生成部１１０９が第１の実施形態とは異なる。基地局装置１０００および端末装置１１００のその他の構成（２０１〜２１２、２１５、２１６、３０１〜３０８、３１０〜３１４）は第１の実施形態（図２、図３）と同様であり、その説明は省略する。
【００７８】
図１１の基地局装置１０００において、通知要求決定部１０１３は、送信バッファ部２０１からの各端末装置１１００宛の送信データ量情報に基づいて、各端末装置１１００に対して、平均受信状態情報と、ＤＣＴ受信状態情報とのどちらを通知要求するかを決定し、該決定結果を通知要求情報として下りリンク制御情報生成部２１５へ出力する。なお、通知要求情報の決定手順の詳細については後述する。スケジューリング部１０１４は、受信状態情報記憶部１０１７に記憶された各端末装置１１００から通知された受信状態情報を読み出し、該情報に基づいて各チャネルの各リソースブロックに端末装置を割り当て（スケジューリングし）、それぞれのリソースブロックで使用する変調パラメータを選択し、該スケジューリング結果（スケジューリング情報）と該変調パラメータ選択結果（変調パラメータ情報）とを出力する。なおスケジューリング部１０１４によるスケジューリングは、さらに送信バッファ部２０１からの送信データ量情報に基づいて行われても良い。なお、スケジューリング部１０１４の動作の詳細については後述する。
【００７９】
受信状態情報記憶部１０１７は、デマッピング部２１１が分離した各端末装置１１００から通知された受信状態情報を端末装置１１００毎に記憶し、スケジューリング部１０１４へ出力する。なお、ＤＣＴ受信状態情報が通知された場合は、該ＤＣＴ受信状態情報に対して逆離散コサイン変換（Inverse Discrete Cosine Transform：ＩＤＣＴ）を施し、各チャネルに関する受信状態を表す情報を復元し、記憶しても良いし、そのまま記憶し、読み出す際に逆離散コサイン変換を施して受信状態を表す情報を復元するようにしても良い。
【００８０】
図１２の端末装置１１００において、受信状態情報生成部１１０９は、復調制御部３１４から出力された通知要求情報に基づき、該通知要求情報が平均受信状態情報である場合は、受信状態測定部３０８から出力された全てのチャネルにおける受信状態測定結果の平均値を算出し、該算出結果を表す受信状態情報を生成する。また、受信状態情報生成部１１０９は、通知要求情報がＤＣＴ受信状態情報を要求する情報である場合は、受信状態測定部３０８から出力された各チャネルにおける受信状態測定結果に対して離散コサイン変換を施し、該離散コサイン変換結果を表す受信状態情報を生成し出力する。なお、基地局装置１０００と端末装置１１００の間の伝搬路の遅延分散値を、受信状態測定部３０８、または新たに図示しない遅延分散測定部を設けて測定し、その遅延分散測定結果に基づいて、遅延分散値が大きいほど受信状態情報生成部１１０９における離散コサイン変換のポイント数を多く、遅延分散値が小さいほど離散コサイン変換のポイント数を少なく変更する制御を行っても良い。これにより、受信状態情報生成部１１０９は離散コサイン変換による受信状態の圧縮効率を最適化することができる。また、受信状態情報生成部１１０９が、離散コサイン変換結果から高周波成分を除いたものから受信状態情報を生成するようにしてもよい。
【００８１】
次に、通知要求決定部１０１３における通知要求情報の決定動作の詳細について図１３を用いて説明する。図１３は、本実施形態における通知要求情報の決定の動作の一例を表すフローチャートである。まず通知要求決定部１０１３は、送信バッファ部２０１から各端末装置１１００宛の送信データ量を取得し（Ｓ１２０１）、それぞれの端末装置１１００（１番目の端末装置１１００からＮ番目の端末装置１１００）について以下の処理を繰り返す（Ｓ１２０２からＳ１２０６のループ３）。それぞれの端末装置１１００について、当該端末装置１１００宛の送信データ量と、所定の閾値、例えば全端末装置１１００宛の送信データ量の平均値とを比較し（Ｓ１２０３）、送信データ量が前記閾値以上である場合は、当該端末装置１１００に対してＤＣＴ受信状態情報を要求することを選択する（Ｓ１２０４）。一方、ステップＳ１２０３の比較において、送信データ量が前記閾値未満である場合は、通知要求決定部１０１３は、当該端末装置１１００に対して平均受信状態情報を要求することを選択する（Ｓ１２０５）。
【００８２】
なお、本実施形態では、各端末装置１１００へ基地局装置１０００が送信するデータ量の大小を判定し、通知要求情報の決定に用いる所定の閾値として、「全端末装置１１００宛の送信データ量の平均値」を用いた場合について説明した。しかしながら、通知要求情報の決定に用いる所定の閾値は、これに限定されるものではなく、例えば、平均受信状態情報を通知する端末装置数と、ＤＣＴ受信状態情報を通知する端末装置数とが予め定めた割合となるように定めた値、通知要求情報に応じて全端末装置１１００から通知される受信状態情報の総情報量が予め定めた値以下となるような端末装置数の割合を実現する値、のように、各端末装置１１００へ基地局装置１０００が送信するデータ量の大小を判定できる指標であれば、何を用いても良い。
また、通知要求情報の決定に用いる所定の閾値の大きさは、０より大きく、送信バッファ部２０１に蓄積可能な各端末装置１１００当たりの最大送信データ量以下の値であることが望ましい。
【００８３】
次に、スケジューリング部１０１４におけるスケジューリング動作と変調パラメータ選択動作の詳細について図１４を用いて説明する。図１４は、本実施形態におけるスケジューリング動作と変調パラメータ選択動作の一例を表すフローチャートである。まずスケジューリング部１０１４は、受信状態情報記憶部１０１７から各端末装置１１００から通知された受信状態情報または逆離散コサイン変換によって復元された受信状態情報を読み込み（Ｓ１３０１）、まずＤＣＴ受信状態情報を通知してきた各端末装置１１００へ送信する送信データを、各端末装置１１００の逆離散コサイン変換結果の各チャネルの受信状態情報に基づいて、リソースブロックに割り当てる（Ｓ１３０２）。さらに、スケジューリング部１０１４は、ステップＳ１３０２で割り当てた各リソースブロックについて、それぞれのリソースブロックに割り当てられた端末装置１１００の当該チャネルにおける受信状態情報に基づいて、変調パラメータを選択する（Ｓ１３０３）。
【００８４】
次に、スケジューリング部１０１４に平均受信状態情報を通知してきた各端末装置１１００へ送信する送信データを、各端末装置１１００の受信状態情報に基づいて、ステップＳ１３０２で割り当てた残りのリソースブロックに割り当てる（Ｓ１３０４）。さらに、スケジューリング部１０１４は、ステップＳ１３０４で割り当てた各リソースブロックについて、それぞれのリソースブロックに割り当てられた各端末装置１１００の受信状態情報に基づいて、変調パラメータを選択し（Ｓ１３０５）、スケジューリング結果（スケジューリング情報）と変調パラメータ選択結果（変調パラメータ情報）を出力する（Ｓ１３０６）。
【００８５】
なお、本実施形態において、第２の受信状態情報であるＤＣＴ受信状態情報は、全チャネルの受信状態に対して離散コサイン変換を施した情報であるとして説明したが、受信状態の良好な所定数のチャネルに関する受信状態に対して離散コサイン変換を施した情報としてもよい。
【００８６】
このように、本実施形態によれば、複数の端末装置１１００から基地局装置１０００へ受信状態情報を通知する際に、各端末装置１１００宛の下りリンク送信データ量に応じて、全チャネルの受信状態の平均値を表す平均受信状態情報を通知するか、全チャネルに関するそれぞれの受信状態を表す情報を離散コサイン変換によって情報圧縮したＤＣＴ受信状態情報を通知するかを選択する。そのため、多くの送信データが送信されるため、下りリンクで多くのリソースブロックを割り当てる必要のある端末装置１１００については、各チャネル個別の受信状態情報に基づく効率的なスケジューリングおよび適応変調を優先的に行うことが可能となり、より高速な伝送が実現できる。
【００８７】
一方、下りリンクで送信すべきデータが比較的少ない端末装置１１００については、全チャネルの受信状態の平均値を表す受信状態情報に基づいてスケジューリングおよび適応変調を行うことにより、それらの端末装置１１００から上りリンクを用いて通知すべき受信状態情報の情報量を削減することができる。
以上から、システム全体において、各端末装置１１００からの上りリンクでの受信状態情報の総通知量を抑えて効率の良い受信状態情報の通知を実現し、かつ、高速・大容量の通信を必要とする端末装置１１００に対して効率的なスケジューリングと適応変調を適用し、システム全体の伝送効率を上げる効率的なスケジューリングと適応変調とを実現することが可能となる。
【００８８】
［第４の実施形態］
以下、図面を参照して、本発明の第４の実施形態について説明する。図１５および図１６は、それぞれ本実施形態における基地局装置１４００および端末装置１５００の構成を示す概略ブロック図である。第１の実施形態では、基地局装置２００からそれぞれの端末装置３００へ通知要求する受信状態情報として、全チャネルの受信状態の平均値を表す平均受信状態情報と、各チャネルに関するそれぞれの受信状態を表す個別受信状態情報とのどちらかを選択する場合について説明した。本実施形態における基地局装置１４００は、通知要求する受信状態情報として、第１の受信状態情報である平均受信状態情報と、最初のチャネルに関する受信状態を表す情報と他のチャネルに関しては受信状態を表す情報の隣接チャネルからの差分値を用いることによって情報削減した第２の受信状態情報（以下、「差分受信状態情報」という）とのどちらかを選択する。
【００８９】
このため、基地局装置１４００の機能ブロックのうち、基地局装置２００の通知要求決定部２１３に相当する通知要求決定部１４１３、基地局装置２００のスケジューリング部２１４に相当するスケジューリング部１４１４、および基地局装置２００の受信状態情報記憶部２１７に相当する受信状態情報記憶部１４１７が、第１の実施形態とは異なる。また、本実施形態における端末装置１５００は、端末装置３００の受信状態情報生成部３０９に相当する受信状態情報生成部１５０９が第１の実施形態とは異なる。基地局装置１４００および端末装置１５００のその他の構成（２０１〜２１２、２１５、２１６、３０１〜３０８、３１０〜３１４）は第１の実施形態（図２、図３）と同様であり、その説明は省略する。
【００９０】
図１５の基地局装置１４００において、通知要求決定部１４１３は、送信バッファ部２０１からの各端末装置１５００宛の送信データ量情報に基づいて、各端末装置１５００に対して、平均受信状態情報と、差分受信状態情報とのどちらを通知要求するかを決定し、該決定結果を通知要求情報として下りリンク制御情報生成部２１５へ出力する。なお、通知要求情報の決定手順の詳細については後述する。スケジューリング部１４１４は、受信状態情報記憶部１４１７に記憶された各端末装置１５００から通知された受信状態情報を読み出し、該情報に基づいて各チャネルの各リソースブロックに端末装置を割り当て（スケジューリングし）、それぞれのリソースブロックで使用する変調パラメータを選択し、該スケジューリング結果（スケジューリング情報）と該変調パラメータ選択結果（変調パラメータ情報）とを出力する。なおスケジューリング部１４１４によるスケジューリングは、さらに送信バッファ部２０１からの送信データ量情報に基づいて行われても良い。なお、スケジューリング部１４１４の動作の詳細については後述する。
【００９１】
受信状態情報記憶部１４１７は、デマッピング部２１１が分離した各端末装置１５００から通知された受信状態情報を端末装置１５００毎に記憶し、スケジューリング部１４１４へ出力する。なお、差分受信状態情報が通知された場合は、最初のチャネルの受信状態情報を起点として順番に各チャネルの差分値を加算することによって、各チャネルに関する受信状態を表す情報を復元し、記憶しても良いし、そのまま記憶し、読み出す際に順番に各チャネルの差分値を加算して受信状態を表す情報を復元するようにしても良い。
【００９２】
図１６の端末装置１５００において、受信状態情報生成部１５０９は、復調制御部３１４から出力された通知要求情報に基づき、該通知要求情報が平均受信状態情報である場合は、受信状態測定部３０８から出力された全てのチャネルにおける受信状態測定結果の平均値を算出し、該算出結果を表す受信状態情報を生成し、通知要求情報が差分受信状態情報を要求する情報である場合は、受信状態測定部３０８から出力された最初のチャネルの受信状態測定結果を起点として他のチャネルに関する受信状態測定結果の隣接チャネルからの差分値をそれぞれ算出し、最初のチャネルの受信状態測定結果と他のチャネルに関する差分値結果とを表す受信状態情報を生成し出力する。
【００９３】
次に、通知要求決定部１４１３における通知要求情報の決定動作の詳細について図１７を用いて説明する。図１７は、本実施形態における通知要求情報の決定の動作の一例を表すフローチャートである。まず通知要求決定部１４１３は、送信バッファ部２０１から各端末装置１５００宛の送信データ量を取得し（Ｓ１６０１）、それぞれの端末装置１５００（１番目の端末装置１５００からＮ番目の端末装置１５００）について以下の処理を繰り返す（Ｓ１６０２からＳ１６０６のループ４）。通知要求決定部１４１３は、それぞれの端末装置１５００について、当該端末装置１５００宛の送信データ量と、所定の閾値、例えば全端末装置１５００宛の送信データ量の平均値とを比較し（Ｓ１６０３）、送信データ量が前記閾値以上である場合は、当該端末装置１５００に対して差分受信状態情報を要求することを選択し（Ｓ１６０４）、送信データ量が前記閾値未満である場合は、当該端末装置１５００に対して平均受信状態情報を要求することを選択する（Ｓ１６０５）。
【００９４】
なお、本実施形態では、各端末装置１５００へ基地局装置１４００が送信するデータ量の大小を判定し、通知要求情報の決定に用いる所定の閾値として、「全端末装置宛の送信データ量の平均値」を用いた場合について説明した。しかしながら、通知要求情報の決定に用いる所定の閾値は、これに限定されるものではなく、例えば、平均受信状態情報を通知する端末装置数と、差分受信状態情報を通知する端末装置数が予め定めた割合となるように定めた値や、通知要求情報に応じて全端末装置から通知される受信状態情報の総情報量が予め定めた値以下となるような端末装置数の割合を実現する値、のように、各端末装置１５００へ基地局装置１４００が送信するデータ量の大小を判定できる指標であれば、何を用いても良い。
また、通知要求情報の決定に用いる所定の閾値の大きさは、０より大きく、送信バッファ部に蓄積可能な各端末装置１５００当たりの最大送信データ量以下の値であることが望ましい。
【００９５】
次に、スケジューリング部１４１４におけるスケジューリング動作と変調パラメータ選択動作の詳細について図１８を用いて説明する。図１８は、本実施形態におけるスケジューリング動作と変調パラメータ選択動作の一例を表すフローチャートである。スケジューリング部１４１４は、受信状態情報記憶部１４１７から各端末装置から通知された受信状態情報または差分値の加算処理によって復元された受信状態情報を読み込む（Ｓ１７０１）。スケジューリング部１４１４は、まず差分受信状態情報を通知してきた各端末装置１５００へ送信する送信データを、各端末装置１５００の各チャネルの復元された受信状態情報に基づいて、リソースブロックに割り当てる（Ｓ１７０２）。さらにスケジューリング部１４１４は、ステップＳ１７０２で割り当てた各リソースブロックについて、それぞれのリソースブロックに割り当てられた端末装置１５００の当該チャネルにおける受信状態情報に基づいて、変調パラメータを選択する（Ｓ１７０３）。
【００９６】
次に、スケジューリング部１４１４は、平均受信状態情報を通知してきた各端末装置１５００へ送信する送信データを、各端末装置１５００の受信状態情報に基づいて、ステップＳ１７０２で割り当てた残りのリソースブロックに割り当てる（Ｓ１７０４）。さらにスケジューリング部１４１４は、ステップＳ１７０４で割り当てた各リソースブロックについて、それぞれのリソースブロックに割り当てられた各端末装置の受信状態情報に基づいて、変調パラメータを選択する（Ｓ１７０５）。次に、スケジューリング部１４１４は、ステップＳ１７０２、Ｓ１７０４のスケジューリング結果（スケジューリング情報）と、ステップＳ１７０３、１７０５の変調パラメータ選択結果（変調パラメータ情報）とを出力する（Ｓ１７０６）。
【００９７】
このように、本実施形態によれば、複数の端末装置１５００から基地局装置１４００へ受信状態情報を通知する際に、各端末装置１５００宛の下りリンク送信データ量に応じて、全チャネルの受信状態の平均値を表す平均受信状態情報を通知するか、最初のチャネルに関する受信状態を表す情報と他のチャネルに関しては受信状態を表す情報の隣接チャネルからの差分値を用いることによって情報削減した差分受信状態情報を通知するかを選択する。そのため、多くの送信データが送信されるため、下りリンクで多くのリソースブロックを割り当てる必要のある端末装置１５００については、各チャネル個別の受信状態情報に基づく効率的なスケジューリングおよび適応変調を優先的に行うことが可能となり、より高速な伝送が実現できる。
【００９８】
一方、下りリンクで送信すべきデータが比較的少ない端末装置１５００については、全チャネルの受信状態の平均値を表す受信状態情報に基づいてスケジューリングおよび適応変調を行うことにより、それらの端末装置１５００から上りリンクを用いて通知すべき受信状態情報の情報量を削減することができる。
以上から、システム全体において、各端末装置１５００からの上りリンクでの受信状態情報の総通知量を抑えて効率の良い受信状態情報の通知を実現し、かつ、高速・大容量の通信を必要とする端末装置１５００に対して効率的なスケジューリングと適応変調を適用し、システム全体の伝送効率を上げる効率的なスケジューリングと適応変調とを実現することが可能となる。
【００９９】
［第５の実施形態］
図１９は、本実施形態における基地局装置１８００の構成を示す概略ブロック図である。上述の第１から第４の実施形態では、基地局装置からそれぞれの端末装置へ通知要求する受信状態情報を決定する基準として、送信バッファ部に蓄積されている各端末装置宛の送信データの量を用いる場合について説明した。本実施形態における基地局装置１８００は、通知要求する受信状態情報を決定する基準として、送信バッファ部１８０１に蓄積されている各端末装置３００宛の送信データ量の時間変動量（以下、送信データの「瞬時ビットレート」という）またはその時間平均量（以下、送信データの「平均ビットレート」という）を用いる。つまり、本実施形態における瞬時ビットレートおよび平均ビットレートは、通知要求情報に従って各端末装置３００が通知してきた受信状態情報に基づいて基地局装置１８００が実際に送信するときに送信バッファ部１８０１に蓄積されている予想送信データ量を表す指標である。
【０１００】
このため、基地局装置１８００の機能ブロックのうち、基地局装置２００の送信バッファ部２０１に相当する送信バッファ部１８０１、および基地局装置２００の通知要求決定部２１３に相当する通知要求決定部１８１３が、第１の実施形態とは異なる。基地局装置１８００のその他の構成および端末装置３００の構成は、第１の実施形態（図２、図３）と同様であり、その説明は省略する。
なお、ここでは第１の実施形態に対して通知要求する受信状態情報を決定する基準を送信データの瞬時ビットレートまたは平均ビットレートに変更した場合について説明するが、同様にして第２から第４の実施形態についても適用可能である。
【０１０１】
図１９において、送信バッファ部１８０１は、入力された送信データを送信先の端末装置３００毎にバッファに蓄積し、所定の時間内、例えば図１における１サブフレームの時間内に新たに送信バッファに追加された各端末装置宛の送信データ量すなわち送信データの瞬時ビットレート、もしくは該送信データ瞬時ビットレートの所定時間、例えば所定サブフレーム数にわたる平均値である送信データの平均ビットレートを算出し、通知要求決定部１８１３へ出力する。
【０１０２】
なお、各端末装置３００宛の送信データのビットレートとして、ネットワークの制御層や媒体アクセス制御層（Media Access Control層：ＭＡＣ層）などの上位層において該送信データに対応付けられたサービス品質（Quality of Service：ＱｏＳ）情報によって指示されるビットレートを用いても良い。この場合、各送信データに関するＱｏＳ情報が送信バッファ部１８０１に上位層から入力され、このＱｏＳ情報に基づいて各端末装置３００宛の送信データのビットレートを算出し、通知要求決定部１８１３へ出力する。
【０１０３】
通知要求決定部１８１３は、送信バッファ部１８０１からの各端末装置３００宛の送信データの瞬時ビットレートまたは送信データの平均ビットレートに基づいて、各端末装置３００に対して、全チャネルの受信状態の平均値を表す平均受信状態情報と、各チャネルに関するそれぞれの受信状態を表す個別受信状態情報とのどちらを通知要求するかを決定し、該決定結果を通知要求情報として下りリンク制御情報生成部２１５へ出力する。
【０１０４】
次に、通知要求決定部１８１３における通知要求情報の決定動作の詳細について図２０を用いて説明する。図２０は、本実施形態における通知要求情報の決定の動作の一例を表すフローチャートである。まず通知要求決定部１８１３は、送信バッファ部１８０１から各端末装置３００宛の送信データの瞬時ビットレートまたは平均ビットレートを取得し（Ｓ１９０１）、それぞれの端末装置３００（１番目の端末装置３００からＮ番目の端末装置３００）について以下の処理を繰り返す（Ｓ１９０２からＳ１９０６のループ６）。それぞれの端末装置３００について、当該端末装置３００宛の送信データの瞬時ビットレートまたは平均ビットレートと、所定の閾値、例えば送信データの瞬時ビットレートまたは平均ビットレートの全端末装置３００の平均値とを比較し（Ｓ１９０３）、送信データの瞬時ビットレートまたは平均ビットレートが前記閾値以上である場合は、当該端末装置３００に対して個別受信状態情報を要求することを選択する（Ｓ１９０４）。一方、送信データの瞬時ビットレートまたは平均ビットレートが前記閾値未満である場合は、通知要求決定部１８１３は、当該端末装置３００に対して平均受信状態情報を要求することを選択する（Ｓ１９０５）。
【０１０５】
なお、本実施形態では、各端末装置３００へ基地局装置１８００が送信するデータ量の大小を判定し、通知要求情報の決定に用いる所定の閾値として、「全端末装置３００宛の送信データ量の平均値」を用いた場合について説明した。しかしながら、通知要求情報の決定に用いる所定の閾値は、これに限定されるものではなく、例えば、平均受信状態情報を通知する端末装置数と、個別受信状態情報を通知する端末装置数が予め定めた割合となるように定めた値や、通知要求情報に応じて全端末装置３００から通知される受信状態情報の総情報量が予め定めた値以下となるような端末装置数の割合を実現する値、のように、各端末装置３００へ基地局装置１８００が送信するデータ量の大小を判定できる指標であれば、何を用いても良い。
また、通知要求情報の決定に用いる所定の閾値の大きさは、０より大きく、送信バッファ部に蓄積可能な各端末装置３００当たりの最大通信速度（ビットレート）以下の値であることが望ましい。
【０１０６】
このように、本実施形態によれば、複数の端末装置３００から基地局装置１８００へ受信状態情報を通知する際に、各端末装置３００宛の下りリンク送信データの瞬時ビットレートまたは平均ビットレートに応じて、全チャネルの受信状態の平均値を表す平均受信状態情報を通知するか、各チャネルそれぞれの受信状態を表す個別受信状態情報を通知するかを選択する。そのため、多くの送信データが送信されるため、下りリンクで多くのリソースブロックを割り当てる必要のある端末装置３００については、各チャネル個別の詳細な受信状態情報に基づく効率的なスケジューリングおよび適応変調を優先的に行うことが可能となり、より高速な伝送が実現できる。
【０１０７】
一方、下りリンクで単位時間当たりに送信すべきデータが比較的少ない端末装置３００については、全チャネルの受信状態の平均値を表す受信状態情報に基づいてスケジューリングおよび適応変調を行うことにより、それらの端末装置３００から上りリンクを用いて通知すべき受信状態情報の情報量を削減することができる。
以上から、システム全体において、各端末装置３００からの上りリンクでの受信状態情報の総通知量を抑えて効率の良い受信状態情報の通知を実現し、かつ、高速・大容量の通信を必要とする端末装置３００に対して効率的なスケジューリングと適応変調を適用し、システム全体の伝送効率を上げる効率的なスケジューリングと適応変調とを実現することが可能となる。
【０１０８】
［第６の実施形態］
上述の第１から第５の実施形態では、ＯＦＤＭシステムを想定し、チャネルとは１つあるいは複数のサブキャリアを意味するものとして説明した。本実施形態では、ＭＩＭＯ（Multiple Input Multiple Output）−ＯＦＤＭシステムにおける適用方法の一例について、各送信アンテナの１つあるいは複数のサブキャリアをそれぞれチャネルとする場合を説明する。
【０１０９】
図２１は、本実施形態における下りリンクのサブフレーム構成の一例を示した図である。本実施形態における基地局装置はＬ本（Ｌは２以上の整数）の送信アンテナＡ１〜ＡＬから異なる信号を送信する。サブフレームは、送信アンテナＡ１〜ＡＬのそれぞれから送信されるＬ個の領域を含み、各領域はさらに周波数方向にＫ個（Ｋは自然数）の領域に分割されている。このＬ×Ｋ個の領域をそれぞれチャネルとし、このサブフレームを送信単位を意味するものとし、このサブフレームを１回のスケジューリング処理においてチャネルの割り当てを行う範囲とする。また、サブフレームを時間軸方向に所定の時間長ＴＴＩ（Transmission Time Interval）でＴ個（Ｔは自然数）に分割し、１チャネルにおける１ＴＴＩ内をスケジューリングの単位（リソースブロック）とする。
【０１１０】
このようなサブフレーム構成のＭＩＭＯ−ＯＦＤＭシステムにおいても、チャネルあるいはリソースブロックという用語の示す領域が異なるのみで、上述の各実施形態と同様な処理を適用することができる。
以上のように、サブフレーム内の複数のチャネルを用いて通信を行うシステムにおいて、各端末装置における各チャネルの受信状態が異なる可能性のあるシステムに対して、本発明を適用可能であり、システム全体において、各端末装置からの上りリンクでの受信状態情報の総通知量を抑えて効率の良い受信状態情報の通知を実現し、かつ、高速・大容量の通信を必要とする端末装置に対して効率的なスケジューリングと適応変調を適用し、システム全体の伝送効率を上げる効率的なスケジューリングと適応変調とを実現することが可能となる。
【０１１１】
［第７の実施形態］
本実施形態では、上述の第１の実施形態各々においてさらに、基地局装置２００の通知要求決定部２１３は、端末装置３００に対して受信状態情報を最初に要求する場合に該端末装置３００に対しては第１の受信状態情報である全チャネルの受信状態の平均値を表す平均受信状態情報を要求する通知要求情報を生成する。
【０１１２】
図２２は、本実施形態における基地局装置２００と、ある１つの端末装置３００との間の最初の通知要求情報と受信状態情報の通知に関係する手順の一例を示した図である。
なお、ここでは第１の実施形態において最初に通知要求を行う場合について説明するが、同様にして第２から第６の実施形態についても同様に適用可能である。
以下、図２２を用いて本実施形態について説明する。まず基地局装置２００は、端末装置３００宛の最初の下りリンク送信データが送信バッファ部２０１に入力されると（Ｓ２１０１）、端末装置３００に対して平均受信状態情報を要求する通知要求情報を生成し（Ｓ２１０２）、該通知要求情報を下りリンク制御情報の一部として端末装置３００に通知する（Ｓ２１０３）。
【０１１３】
端末装置３００は、平均受信状態情報を要求する通知要求情報を受信し、受信状態測定部３０８が下りリンクのパイロットシンボルから各チャネルに関する受信状態を測定し（Ｓ２１０４）、受信状態情報生成部３０９が、全チャネルの受信状態測定結果の平均値を算出し、該平均値を表す平均受信状態情報を生成し（Ｓ２１０５）、基地局装置２００に対して通知する（Ｓ２１０６）。次に、基地局装置２００は、端末装置３００からの平均受信状態情報を受信し、その他の端末装置３００からの受信状態情報と合わせて、下りリンクのスケジューリングおよび適応変調を行う（Ｓ２１０７）。さらに基地局装置２００の通知要求決定部２１３は、端末装置３００宛の送信データ量に基づいて端末装置３００に要求する受信状態情報を平均受信状態情報と第２の受信状態情報である個別受信状態情報から選択し、該選択結果を受けて下りリンク制御情報生成部２１５は、通知要求情報を生成する（Ｓ２１０８）。基地局装置２００は、この通知要求情報を下りリンク制御情報の一部として端末装置３００に通知する（Ｓ２１０９）。なお、図２２では、ステップＳ２１０８において個別受信状態情報が選択される場合の例を示している。
【０１１４】
端末装置３００は、個別受信状態情報を要求する通知要求情報を受信し、また、受信状態測定部３０８が下りリンクのパイロットシンボルから各チャネルに関する受信状態を測定する（Ｓ２１１０）。受信状態情報生成部３０９は、ステップＳ２１１０にて測定した各チャネルの受信状態測定結果から各チャネルに関するそれぞれの受信状態を表す個別受信状態情報を生成し（Ｓ２１１１）、端末装置３００は、基地局装置２００に対して通知する（Ｓ２１１２）。以降、端末装置３００宛の送信データが存在する間、上述のステップＳ２１０７からステップＳ２１１２の手順を繰り返す。なお、ステップＳ２１０２からステップＳ２１０６までが本実施形態における最初の通知要求情報と受信状態情報の通知の手順となる。
【０１１５】
また、図２２では、受信状態情報を最初に要求するタイミングとして、対象端末装置３００宛の最初の送信データが送信バッファ部に入力されたタイミングとして説明したが、これに限定されるものではなく、例えば、対象端末装置３００が基地局装置２００に対して接続要求を行ったタイミング、基地局装置２００と対象端末装置３００の間で認証が完了したタイミング、端末装置が３００一時的に通信を中断している状態から復帰したタイミング、などにも適用できる。
【０１１６】
以上のように、本実施形態では、端末装置３００に対して受信状態情報を最初に要求する場合に該端末装置３００に対しては全チャネルの受信状態の平均値を表す平均受信状態情報を要求する。これにより、基地局装置２００と端末装置３００との間でデータ通信を開始する際に、該端末装置３００から全チャネルの受信状態の平均値を表す受信状態情報を用いるため、上りリンクを用いて通知すべき受信状態情報の情報量を削減することができる。
【０１１７】
［第８の実施形態］
上述の第１から第７の実施形態では、各端末装置宛の下りリンク送信データ量に基づいて、各端末装置が受信状態を報告する際の受信状態情報の方式を決定する場合について説明した。本実施形態では、各端末装置宛の下りリンク送信データ量と各端末装置における最大ドップラー周波数ｆｄとに基づいて、各端末が受信状態を報告する際の受信状態情報の方式を決定する場合について説明する。ドップラー周波数は、基地局装置と端末装置との相対速度に比例して大きくなるので、ドップラー周波数が大きいということは、基地局装置と端末装置との相対速度が大きく、基地局装置と端末装置との間の伝搬路すなわち受信状態が変化する可能性が高いということを意味する。これを利用して、本実施形態では、受信状態の時間変動の指標となる値として最大ドップラー周波数を用いる。
【０１１８】
以下、図面を参照して、本発明の第８の実施形態について説明する。図２３は、本実施形態における基地局装置２３００の構成を示す概略ブロック図である。なお、本実施形態における端末装置は第１の実施形態における端末装置３００の構成と同様の構成である。  第１の実施形態では、基地局装置２００からそれぞれの端末装置３００へ通知要求する受信状態情報を決定する際、送信バッファ部２０１内の送信データ量を参照する場合について説明した。本実施形態における基地局装置２３００は、基地局装置２３００からそれぞれの端末装置３００へ通知要求する受信状態情報を決定する際、送信バッファ部２０１内の送信データ量および各端末装置３００における最大ドップラー周波数ｆｄを参照する。
【０１１９】
本実施形態では、各端末装置からの上りリンク信号にパイロット信号を含め、これを用いて基地局装置２３００において各端末装置３００についての最大ドップラー周波数ｆｄを測定する場合の例を説明する。このため、基地局装置２３００の機能ブロックのうち、ｆｄ測定部２３１８を備えることと、基地局装置２００の通知要求決定部２１３に相当する通知要求決定部２３１３と、基地局装置２００のデマッピング部２１１に相当するデマッピング部２３１１とが、第１の実施形態とは異なる。基地局装置２３００および端末装置３００のその他の構成（２０１〜２１２、２１４〜２１７、３０１〜３１４）は第１の実施形態（図２、図３）と同様であり、その説明は省略する。
【０１２０】
図２３の基地局装置２３００において、デマッピング部２３１１は、Ａ／Ｄ変換部２１０から送られたデジタル信号（変調シンボル）をデマッピングし、受信状態情報とデータ系列とパイロット系列を分離し、受信状態情報を受信状態情報記憶部２１７へ、データ系列を復号化部２１２へ、パイロット系列をｆｄ測定部２３１８へ、それぞれ出力する。ｆｄ測定部２３１８は、デマッピング部２３１１で取り出されたパイロット系列の時間方向の変動の大きさから最大ドップラー周波数ｆｄを測定し、ｆｄ測定結果を出力する。通知要求決定部２３１３は、ｆｄ測定部２３１８において測定された最大ドップラー周波数ｆｄの測定結果と送信バッファ部２０１からの各端末装置３００宛の送信データ量情報とに基づいて、各端末装置３００に対して、全チャネルの受信状態の平均値を表す第１の受信状態情報（平均受信状態情報）と、各チャネルに関するそれぞれの受信状態を表す第２の受信状態情報（個別受信状態情報）とのどちらを通知要求するかを決定し、該決定結果を通知要求情報として下りリンク制御情報生成部２１５へ出力する。通知要求情報の決定手順の詳細については後述する。なお、本実施形態では、各端末装置３００からの上りリンク信号にパイロット信号を含め、これを用いて基地局装置２３００において最大ドップラー周波数ｆｄを測定する場合の例で説明したが、この構成に限定されるものではなく、ｆｄ測定部２３１８を端末装置３００が具備し、下りリンク信号のパイロット信号等を用いて各端末装置３００において最大ドップラー周波数ｆｄを測定し基地局装置２３００に報告する構成としても良い。
【０１２１】
次に、通知要求決定部２３１３における通知要求情報の決定動作の詳細について図２４を用いて説明する。図２４は、本実施形態における通知要求情報の決定の動作の一例を表すフローチャートである。まず通知要求決定部２３１３は、送信バッファ部２０１から各端末装置３００宛の送信データ量を取得し（Ｓ２４０１）、各端末装置３００について最大ドップラー周波数ｆｄの測定結果を取得し（Ｓ２４０２）、それぞれの端末装置３００（１番目の端末装置３００からＮ番目の端末装置３００）について以下の処理を繰り返す（Ｓ２４０３からＳ２４０８のループ）。
【０１２２】
通知要求決定部２３１３は、それぞれの端末装置３００について、当該端末装置３００宛の送信データ量と所定の第１閾値を比較し（Ｓ２４０４）、送信データ量が所定の第１閾値以上である場合は、さらに当該端末装置３００について最大ドップラー周波数ｆｄの測定結果と所定の第２閾値とを比較し（Ｓ２４０５）、最大ドップラー周波数ｆｄの測定結果が所定の第２閾値未満である場合は、個別受信状態情報を要求することを選択する（Ｓ２４０６）。また、送信データ量が所定の第１閾値未満である場合、あるいは最大ドップラー周波数ｆｄの測定結果が所定の第２閾値以上である場合は、通知要求決定部２３１３は、当該端末装置３００に対して平均受信状態情報を要求することを選択する（Ｓ２４０７）。
【０１２３】
なお、所定の第１閾値は、全端末装置３００宛の送信データ量の平均値や、個別受信状態情報を通知する端末装置数と平均受信状態情報を通知する端末装置数が予め定めた割合となるように定めた値、通知要求情報に応じて全端末装置３００から通知される受信状態情報の総情報量が予め定めた値以下となるような端末装置数の割合を実現する値、などを用いることが好ましいが、これに限られるものではなく、０より大きく、送信バッファ部２０１に蓄積可能な各端末装置３００当たりの最大送信データ量以下の値であれば効果が得られる。
【０１２４】
また、上述の所定の第２閾値は、端末装置３００が受信状態を測定する時刻と、基地局装置２００がその受信状態測定結果に基づいてスケジューリング／適応変調した送信データを端末装置３００が受信する時刻との間の時間、いわゆる処理遅延が、最大ドップラー周波数ｆｄの逆数に定数を乗算することにより得られるコヒーレント時間と一致するように定めた値を用いることが好ましいが、これに限られるものではなく、端末装置３００が受信状態を測定する時刻における受信状態と、基地局装置２００がその受信状態測定結果に基づいてスケジューリング／適応変調した送信データを端末装置３００が受信する時刻における受信状態との間の変動が許容範囲内となり、これら２つの受信状態がほぼ同様の値となるような最大ドップラー周波数ｆｄの値であれば効果が得られる。
【０１２５】
なお、上記の説明では、各端末装置３００のチャネルの受信状態測定結果の時間変動の大きさを示す指標として、端末装置３００における最大ドップラー周波数ｆｄを用いる場合について説明したが、これに限るものではない。例えば、端末装置におけるコヒーレント時間、端末装置が受信状態を測定する時刻における受信状態と、基地局がその受信状態測定結果に基づいてスケジューリング／適応変調した送信データを端末が受信する時刻における受信状態との差、端末の移動速度を測定した値など、各端末装置のチャネルの受信状態測定結果の変動の速さに関連する他の指標を用いても良いことは勿論である。
【０１２６】
このように、本実施形態によれば、複数の端末装置３００から基地局装置２３００へ受信状態情報を通知する際に、各端末装置３００宛の下りリンク送信データ量と各端末装置３００についての最大ドップラー周波数ｆｄとに応じて、全チャネルの受信状態の平均値を表す平均受信状態情報を通知するか、全チャネルそれぞれの受信状態を表す個別受信状態情報を通知するかを選択する。そのため、多くの送信データが送信されるため、下りリンクで多くのリソースブロックを割り当てる必要のある端末装置３００については、詳細な個別受信状態情報を得ることができ、各チャネルの詳細な受信状態情報に基づく効率的なスケジューリングおよび適応変調を優先的に行うことが可能となり、より高速な伝送が実現できる。さらに、多くの送信データを送信する必要があっても、チャネルの受信状態の時間変動が大きく、処理遅延の前後で受信状態が変化するためスケジューリング／適応変調の効果が小さい端末装置３００については、平均受信状態情報報告をするため、それらの端末装置３００から上りリンクを用いて通知すべき受信状態情報の情報量を削減することができる。
【０１２７】
一方、下りリンクで送信すべきデータが比較的少ない端末装置３００については、平均受信状態情報を報告するため、それらの端末装置３００から上りリンクを用いて通知すべき受信状態情報の情報量を削減することができる。
以上から、システム全体において、各端末装置３００からの上りリンクでの受信状態情報の総通知量を抑えて効率の良い受信状態情報の通知を実現し、かつ、高速・大容量の通信を必要とする端末装置３００に対して効率的なスケジューリングと適応変調を適用し、システム全体の伝送効率を上げる効率的なスケジューリングと適応変調とを実現することが可能となる。
【０１２８】
なお、本実施形態と同様に、第２から第７の実施形態の通知要求決定部において、送信データ量に加えて、最大ドップラー周波数ｆｄなどの受信状態の時間変動を表す指標に基づき、通知を要求する受信状態情報の種類を決定するようにしてもよい。また、送信データ量を用いず、最大ドップラー周波数ｆｄなどの受信状態の時間変動を表す指標のみに基づき、通知を要求する受信状態情報の種類を決定するようにしてもよい。
また、上述の第１から第８の実施形態では、第１の受信状態情報として全チャネルの受信状態の平均値を表す平均受信状態情報を用いる場合について説明したが、平均値に代えて、全チャネルの受信状態の最大値、最小値、中央値など、その他の全チャネルの受信状態を代表する値を用いても良い。
【０１２９】
以上のように上述の第１から第８の各実施形態では、伝送システムとしてマルチキャリア伝送システム（特にＯＦＤＭ伝送システム）、チャネル構成として少なくとも１つのサブキャリアを備える、適応変調の対象単位としてチャネル毎、適応スケジューリング（チャネルの割り当て）としてチャネル毎としたセルラーシステムに、受信状態としてパイロットシンボルに基づき算出したＳ／Ｎ比を用いて本発明を説明した。しかしながら、本発明の適用できる、変調方式、チャネル構成、適応変調の対象単位、適応スケジューリング（チャネルの割り当て）、及び受信状態は上記に限定されるものではない。
【０１３０】
例えば、伝送システムとして拡散技術を用いたＭＣ−ＣＤＭＡ（Multi Carrier-Code Division Multiple Access）システムを、適応変調および適応スケジューリングの単位は、ＭＩＭＯ（Multiple Input Multiple Output）などのＳＤＭＡ（Space Division Multiple Access：空間分割多元接続）において送信アンテナあるいは固有モードが示す複数のチャネル、ＣＤＭＡにおける複数のコードチャネル、あるいはこれらの組み合わせとしてのチャネルなど、複数のチャネルを用いて通信を行なう他のシステムであっても、チャネル毎に受信状態が異なる可能性があるシステムにおいて、本発明を適用することができる。
【０１３１】
また、受信状態情報としては、ＲＳＳＩ（Received Signal Strength Indicator：受信信号強度表示信号）、ＣＮＲ（Carrier to Noise Ratio：搬送波対雑音電力比）、ＳＩＲ（Signal to Interference power Ratio：受信信号電力対干渉電力比）、ＳＩＮＲ（Signal to Interference plus Noise power Ratio：受信信号電力対干渉電力および雑音電力比）、ＣＩＲ（Carrier to Interference power Ratio：搬送波電力対干渉電力比）、ＣＩＮＲ（Carrier to Interference plus Noise power Ratio：搬送波電力対干渉電力および雑音電力比）、など受信信号電力や搬送波電力に関連して受信状態を示す指標や、変調方式とチャネル符号化率の組み合わせであるＭＣＳ（Modulation and Coding Scheme）や伝送レートなどの変調パラメータ等の伝搬路状態に応じて選択された変調パラメータなどの伝送速度にかかわる指標を用いても良い。
【０１３２】
また、上述の第１から第８の実施形態では、基地局装置と複数の端末装置とから構成されるＦＤＤ（Frequency Division Duplex：周波数分割複信）を採用する通信システムであり、下りリンクの通信においてＯＦＤＭの適応変調システムを想定し、上りリンクの通信ではＯＦＤＭと適応変調は行わないシステムを想定しているが、これに限定されるものではない。
【０１３３】
更に、本発明は、複数の無線通信装置のいずれか（基地局装置）がスケジューリング機能と適応変調を実施し、他の無線通信装置（端末装置）が受信状態情報送信機能を実施することができる関係にある無線通信装置同士へ適用することができる。
なお、二つの無線通信装置間で、チャネルの受信状態情報を通知する側（受信状態情報送信機能を有する側）を端末装置、通知された受信状態情報に基づいて各端末装置への送信データを各チャネルに割り当て適応変調を行う側（スケジューリング機能を行う側）を基地局装置として説明したが、一つの無線通信装置が両方の機能を有する構成であってもよい。なお、無線通信装置とは、無線通信を行なう装置であり、基地局装置、端末装置、無線機、携帯端末装置、携帯電話等を含む。
【０１３４】
また、図２における送信バッファ部２０１、符号化部２０２、マッピング部２０３、ＩＦＦＴ部２０４、ＧＩ挿入部２０５、デマッピング部２１１、復号化部２１２、通知要求決定部２１３、スケジューリング部２１４、下りリンク制御情報生成部２１５、パイロット生成部２１６、受信状態情報記憶部２１７、あるいは図３におけるＧＩ除去部３０４、ＦＦＴ部３０５、デマッピング部３０６、復号化部３０７、受信状態測定部３０８、受信状態情報生成部３０９、符号化部３１０、マッピング部３１１、復調制御部３１４、あるいは図７における送信バッファ部２０１、符号化部２０２、マッピング部２０３、ＩＦＦＴ部２０４、ＧＩ挿入部２０５、デマッピング部２１１、復号化部２１２、通知要求決定部６１３、スケジューリング部６１４、下りリンク制御情報生成部２１５、パイロット生成部２１６、受信状態情報記憶部６１７、あるいは図８におけるＧＩ除去部３０４、ＦＦＴ部３０５、デマッピング部３０６、復号化部３０７、受信状態測定部３０８、受信状態情報生成部７０９、符号化部３１０、マッピング部３１１、復調制御部３１４、あるいは図１１における送信バッファ部２０１、符号化部２０２、マッピング部２０３、ＩＦＦＴ部２０４、ＧＩ挿入部２０５、デマッピング部２１１、復号化部２１２、通知要求決定部１０１３、スケジューリング部１０１４、下りリンク制御情報生成部２１５、パイロット生成部２１６、受信状態情報記憶部１０１７、あるいは図１２におけるＧＩ除去部３０４、ＦＦＴ部３０５、デマッピング部３０６、復号化部３０７、受信状態測定部３０８、受信状態情報生成部１１０９、符号化部３１０、マッピング部３１１、復調制御部３１４、あるいは図１５における送信バッファ部２０１、符号化部２０２、マッピング部２０３、ＩＦＦＴ部２０４、ＧＩ挿入部２０５、デマッピング部２１１、復号化部２１２、通知要求決定部１４１３、スケジューリング部１４１４、下りリンク制御情報生成部２１５、パイロット生成部２１６、受信状態情報記憶部１４１７、あるいは図１６におけるＧＩ除去部３０４、ＦＦＴ部３０５、デマッピング部３０６、復号化部３０７、受信状態測定部３０８、受信状態情報生成部１５０９、符号化部３１０、マッピング部３１１、復調制御部３１４、あるいは図１９における送信バッファ部１８０１、符号化部２０２、マッピング部２０３、ＩＦＦＴ部２０４、ＧＩ挿入部２０５、デマッピング部２１１、復号化部２１２、通知要求決定部１８１３、スケジューリング部２１４、下りリンク制御情報生成部２１５、パイロット生成部２１６、受信状態情報記憶部２１７、あるいは図２３における送信バッファ部２０１、符号化部２０２、マッピング部２０３、ＩＦＦＴ部２０４、ＧＩ挿入部２０５、デマッピング部２１１、復号化部２１２、通知要求決定部２３１３、スケジューリング部２１４、下りリンク制御情報生成部２１５、パイロット生成部２１６、受信状態情報記憶部２１７の機能を実現するためのプログラムをコンピュータ読み取り可能な記録媒体に記録して、この記録媒体に記録されたプログラムをコンピュータシステムに読み込ませ、実行することにより無線通信を行ってもよい。なお、ここでいう「コンピュータシステム」とは、ＯＳや周辺機器等のハードウェアを含むものとする。
【０１３５】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１３６】
以上、この発明の実施形態を図面を参照して詳述してきたが、具体的な構成はこの実施形態に限られるものではなく、この発明の要旨を逸脱しない範囲の設計等も含まれる。
【産業上の利用可能性】
【０１３７】
本発明は、下りリンクに複数のチャネルを用いる移動通信システムに用いて好適であるが、これに限定されない。
【図面の簡単な説明】
【０１３８】
【図１】この発明の第１の実施形態における下りリンクのサブフレーム構成の一例を示した図である。
【図２】同実施形態における基地局装置２００の構成を示す概略ブロック図である。
【図３】同実施形態における端末装置３００の構成を示す概略ブロック図である。
【図４】同実施形態における通知要求情報の決定の動作の一例を表すフローチャートである。
【図５】同実施形態におけるスケジューリング動作と変調パラメータ選択動作の一例を表すフローチャートである。
【図６】同実施形態における受信状態の一例を示すグラフＧ１と、そのとき選択可能な変調パラメータと、各リソースブロックへの送信データ割当て可否との例を示した図である。
【図７】第２の実施形態における基地局装置６００の構成を示す概略ブロック図である。
【図８】同実施形態における端末装置７００の構成を示す概略ブロック図である。
【図９】同実施形態における通知要求情報の決定の動作の一例を表すフローチャートである。
【図１０】同実施形態におけるスケジューリング動作と変調パラメータ選択動作の一例を表すフローチャートである。
【図１１】第３の実施形態における基地局装置１０００の構成を示す概略ブロック図である。
【図１２】同実施形態における端末装置１１００の構成を示す概略ブロック図である。
【図１３】同実施形態における通知要求情報の決定の動作の一例を表すフローチャートである。
【図１４】同実施形態におけるスケジューリング動作と変調パラメータ選択動作の一例を表すフローチャートである。
【図１５】第４の実施形態における基地局装置１４００の構成を示す概略ブロック図である。
【図１６】同実施形態における端末装置１５００の構成を示す概略ブロック図である。
【図１７】同実施形態における通知要求情報の決定の動作の一例を表すフローチャートである。
【図１８】同実施形態におけるスケジューリング動作と変調パラメータ選択動作の一例を表すフローチャートである。
【図１９】第５の実施形態における基地局装置１８００の構成を示す概略ブロック図である。
【図２０】同実施形態における通知要求情報の決定の動作の一例を表すフローチャートである。
【図２１】第６の実施形態における下りリンクのサブフレーム構成の一例を示した図である。
【図２２】第７の実施形態における基地局装置２００と、ある１つの端末装置３００との間の最初の通知要求情報と受信状態情報の通知に関係する手順の一例を示した図である。
【図２３】第８の実施形態における基地局装置２３００の構成を示す概略ブロック図である。
【図２４】同実施形態における通知要求情報の決定の動作の一例を表すフローチャートである。
【符号の説明】
【０１３９】
２００、６００、１０００、１４００、１８００、２３００…基地局装置
２０１、１８０１…送信バッファ部
２０２…符号化部
２０３…マッピング部
２０４…ＩＦＦＴ部
２０５…ＧＩ挿入部
２０６…Ｄ／Ａ変換部
２０７…無線送信部
２０８…アンテナ部
２０９…無線受信部
２１０…Ａ／Ｄ変換部
２１１、２３１１…デマッピング部
２１２…復号化部
２１３、６１３、１０１３、１４１３、１８１３、２３１３…通知要求決定部
２１４、６１４、１０１４、１４１４…スケジューリング部
２１５…下りリンク制御情報生成部
２１６…パイロット生成部
２１７、６１７、１０１７、１４１７…受信状態情報記憶部
３００、７００、１１００、１５００…端末装置
３０１…アンテナ部
３０２…無線受信部
３０３…Ａ／Ｄ変換部
３０４…ＧＩ除去部
３０５…ＦＦＴ部
３０６…デマッピング部
３０７…復号化部
３０８…受信状態測定部
３０９、７０９、１１０９、１５０９…受信状態情報生成部
３１０…符号化部
３１１…マッピング部
３１２…Ｄ／Ａ変換部
３１３…無線送信部
３１４…復調制御部
２３１８…ｆｄ測定部
【図１】
2008271199.tif 000003
【図２】
2008271199.tif 000004
【図３】
2008271199.tif 000005
【図４】
2008271199.tif 000006
【図５】
2008271199.tif 000007
【図６】
2008271199.tif 000008
【図７】
2008271199.tif 000009
【図８】
2008271199.tif 000010
【図９】
2008271199.tif 000011
【図１０】
2008271199.tif 000012
【図１１】
2008271199.tif 000013
【図１２】
2008271199.tif 000014
【図１３】
2008271199.tif 000015
【図１４】
2008271199.tif 000016
【図１５】
2008271199.tif 000017
【図１６】
2008271199.tif 000018
【図１７】
2008271199.tif 000019
【図１８】
2008271199.tif 000020
【図１９】
2008271199.tif 000021
【図２０】
2008271199.tif 000022
【図２１】
2008271199.tif 000023
【図２２】
2008271199.tif 000024
【図２３】
2008271199.tif 000025
【図２４】
2008271199.tif 000026